(57)【要約】本願は、従来技術におけるケーブルの良好な濾過性能を果たしながら、シンプルで合理的な構造設計を確保できない問題を解決するためのフィルタケーブルを提供し、前記フィルタケーブルの径方向に沿った断面において、コアワイヤ、前記コアワイヤを囲むＮ層の欠陥導体層が内側から外側に順次配置され、その中で、前記欠陥導体層上にエッチングパターンがあり、前記エッチングパターンが前記フィルタケーブルの軸方向に沿って分布され、前記エッチングパターンは、フィルタケーブルをプリフィルタ回路と等価にして、前記フィルタケーブルで伝送された信号を濾過するために使用される。
2021532612.tif 000002
【特許請求の範囲】
【請求項１】
フィルタケーブルであって、前記フィルタケーブルの径方向の断面において、コアワイヤ、前記コアワイヤを囲むＮ層の欠陥導体層が内側から外側に順次設けられ、その中で、前記欠陥導体層上にエッチングパターンがあり、前記エッチングパターンが前記フィルタケーブルの軸方向に沿って分布され、前記エッチングパターンは、前記フィルタケーブルをプリフィルタ回路と等価にして、前記フィルタケーブルで伝送された信号を濾過するために使用され、その中で、Ｎの値は正の整数である、ことを特徴とするフィルタケーブル。
【請求項２】
前記エッチングパターンは、前記フィルタケーブルの軸方向に沿って周期的または非周期的に分布されることを特徴とする請求項１に記載のフィルタケーブル。
【請求項３】
前記エッチングパターンのエッチング領域は中空状であるか、または絶縁材料で充填されることを特徴とする請求項１に記載のフィルタケーブル。
【請求項４】
Ｎの値が２以上であり、Ｎ層の欠陥導体層間が互い絶縁または接続されることを特徴とする請求項１に記載のフィルタケーブル。
【請求項５】
Ｎの値は１で、前記エッチングパターンは複数の第１のパターンを含む場合、
前記第１のパターンは前記フィルタケーブルの径方向に沿って配置された第１の中空線セグメントを含み、第１の中空線セグメントの一端に第１の螺旋状中空パターンが設けられ、他端に第２の螺旋状中空パターンが設けられ、
前記第２の螺旋状中空パターンが前記第１の螺旋状中空パターンと対称的に設けられることを特徴とする請求項１に記載のフィルタケーブル。
【請求項６】
Ｎの値は１で、前記エッチングパターンは複数の第２のパターンを含む場合、
前記第２のパターンは、互い間隔を空けて配置された第１の二重リング状中空パターンおよび第２の二重リング状中空パターンを含み、
前記第１の二重リング状中空パターンおよび前記第２の二重リング状中空パターンは対称であり、対称軸が前記フィルタケーブルの径方向に沿って設けられ、
前記第１の二重リング状中空パターンおよび前記第２の二重リング状中空パターンの外輪上の対称軸に近い側の中部に第１の非中空領域があり、
前記第１の二重リング状中空パターンおよび前記第２の二重リング状中空パターンの内輪上の対称軸から離れた側の中部に第２の非中空領域がある、ことを特徴とする請求項１に記載のフィルタケーブル。
【請求項７】
前記プリフィルタ回路は、ローパスフィルタ回路、バンドストップフィルタ回路またはバンドパスフィルタ回路を含む、ことを特徴とする請求項１に記載のフィルタケーブル。
【請求項８】
Ｎの値は１で、前記プリフィルタ回路はローパスフィルタ回路を含む場合、
前記エッチングパターンは複数の第３のパターンを含み、前記第３のパターンは前記フィルタケーブルの軸方向に沿った第２の中空線セグメントを含み、前記第２の中空線セグメントは、第３の中空線セグメント、第３の中空線セグメントの両端に対称であり対称軸が前記フィルタケーブルの径方向に沿って設けられた第４の中空線セグメントおよび第５の中空線セグメント、前記第２の中空線セグメントと間隔を空けて並んだ第６の中空線セグメントを含み、前記第６の中空線セグメント上の前記第３の中空線セグメントに対応する領域に第３の非中空領域があり、前記第４の中空線セグメントに対応する領域に前記第４の中空線セグメントに接続された第１の狭幅中空領域があり、前記第５の中空線セグメントに対応する領域に前記第５の中空線セグメントに接続された第２の狭幅中空領域があり、
または、前記エッチングパターンは複数の第４のパターンを含み、前記第４のパターンは、互い間隔を空けて対称であり対称軸が前記フィルタケーブルの径方向に沿って設けられた２つのサブパターンを含み、前記第４のパターンのサブパターンは前記フィルタケーブルの径方向に沿って並んだ第７の中空線セグメントおよび第８の中空線セグメントを含み、前記第７の中空線セグメントの両端にそれぞれ第１の単一リング状中空パターンが設けられ、前記第１の単一リング状中空パターンの前記第７の中空線セグメントから離れた辺の中部に非中空領域があり、前記第８の中空線セグメントの両端にそれぞれ第２の単一リング状中空パターンがあり、前記第２の単一リング状中空パターンの前記第８の中空線セグメントから離れた辺の中部に非中空領域があり、前記第２の単一リング状中空パターンで囲まれた領域の面積が、前記第１の単一リング状中空パターンで囲まれた領域の面積より大きく、
または、前記エッチングパターンは複数の第５のパターンを含み、前記第５のパターンは、交差して設けられた第９の中空線セグメントおよび第１０の中空線セグメントを含み、前記第９の中空線セグメントが前記フィルタケーブルの軸方向に沿って配置され両端にそれぞれ第１の広幅中空領域があり、前記第１０の中空線セグメントが前記フィルタケーブルの径方向に沿って配置され両端にそれぞれ第２の広幅中空領域があり、前記第２の広幅中空領域で囲まれた領域の面積が前記第１の広幅中空領域で囲まれた領域の面積よりも大きく、
または、前記エッチングパターンは複数の第６のパターンを含み、前記第６のパターンは、順次配置された第１のＵ字形の中空パターン、第２のＵ字形の中空パターンおよび第３のＵ字形の中空パターンを含み、前記第１のＵ字形の中空パターン、前記第２のＵ字形の中空パターンおよび前記第３のＵ字形の中空パターンは、前記フィルタケーブルの径方向に沿って開口され、その中で、前記第２のＵ字形の中空パターンの開口方向が前記第１のＵ字形の中空パターン、前記第３のＵ字形の中空パターンの開口方向とは反対であり、前記第２のＵ字形の中空パターンの一端が前記第１のＵ字形の中空パターンの一端に接続され、他端が前記第３のＵ字形の中空パターンの一端に接続され、
または、前記エッチングパターンは、複数の第７のパターンを含み、前記第７のパターンは、前記フィルタケーブルの径方向に沿った第１１の中空線セグメントを含み、前記第１１の中空線セグメントの両端にそれぞれ第３の広幅中空領域がある、ことを特徴とする請求項７に記載のフィルタケーブル。
【請求項９】
Ｎの値は１で、前記プリフィルタ回路はバンドストップフィルタ回路を含む場合、
前記エッチングパターンは複数の第８のパターンを含み、前記第８のパターンは前記フィルタケーブルの径方向に沿った第１２の中空線セグメントを含み、前記第１２の中空線セグメントの両端にそれぞれ第３の単一リング状中空パターンが設けられ、前記第３の単一リング状中空パターンの前記第１２の中空線セグメントに近い側に非中空領域があり、
または、前記エッチングパターンは複数の第９のパターンを含み、前記第９のパターンは前記フィルタケーブルの径方向に沿った第１３の中空線セグメントを含み、第１３の中空線セグメントの一端に第３の螺旋状中空パターンが設けられ、他端に第４の螺旋状中空パターンが設けられ、前記第３の螺旋状中空パターンが前記第４の螺旋状中空パターンと非対称であり、
または、前記エッチングパターンは複数の第１０のパターンを含み、前記第１０のパターンは前記フィルタケーブルの軸方向に沿って並んだ第１４の中空線セグメント、第１５の中空線セグメント、前記第１４の中空線セグメント、第１５の中空線セグメント間に前記フィルタケーブルの径方向に沿った第１６の中空線セグメントを含み、前記第１４の中空線セグメントの中部が前記第１６の中空線セグメントを介して第１５の中空線セグメントの中部に接続され、前記第１４の中空線セグメント、第１５の中空線セグメント間、前記第１６の中空線セグメントの両側にそれぞれ第３の単一リング状中空パターンが設けられ、前記第３の単一リング状中空パターンの前記第１６の中空線セグメントに近い辺の中部に非中空領域があり、
または、前記エッチングパターンは複数の第１１のパターンを含み、前記第１１のパターンは長方形の第４の単一リング状中空パターンを含み、前記第４の単一リング状中空パターンの一対の辺が前記フィルタケーブルの径方向に沿って設けられ、もう一対の辺が前記フィルタケーブルの軸方向に沿って設けられ、前記第４の単一リング状中空パターンの外側、前記フィルタケーブルの軸方向に沿った一対の辺の両端、中部にそれぞれ第１７の中空線セグメントが設けられ、前記第１７の中空線セグメントの一端が前記第４の単一リング状中空パターンに接続され、２つの前記第１７の中空線セグメント間に２つの対称のＬ字形の中空パターンが設けられ、前記Ｌ字形の中空パターンのコーナーが前記第４の単一リング状中空パターンに近く、一辺が前記第１７の中空線セグメントに近く、前記フィルタケーブルの径方向に沿って配置され、前記フィルタケーブルの軸方向に沿った中空線セグメントを介して近くの前記第１７の中空線セグメントに接続され、他辺が前記第４の単一リング状中空パターンに近く前記フィルタケーブルの軸方向に沿って設けられ、前記コアワイヤの前記第４の単一リング状中空パターンに対応する領域に、前記フィルタケーブルの径方向に沿った貫通穴が設けられる、ことを特徴とする請求項７に記載のフィルタケーブル。
【請求項１０】
Ｎの値は１で、前記プリフィルタ回路はバンドパスフィルタ回路を含む場合、
前記エッチングパターンは複数の第１２のパターンを含み、前記第１２のパターンは互い間隔を空けて設けられた第１のサブパターンおよび第２のサブパターンを含み、前記第１２のパターンの第１のサブパターンは、順次配置された第４のＵ字形の中空パターン、第５のＵ字形の中空パターンおよび第６のＵ字形の中空パターンを含み、前記第４のＵ字形の中空パターン、前記第５のＵ字形の中空パターンおよび前記第６のＵ字形の中空パターンは前記フィルタケーブルの径方向に沿って開口され、その中で、前記第５のＵ字形の中空パターンの開口方向が前記第４のＵ字形の中空パターン、前記第６のＵ字形の中空パターンの開口方向とは反対であり、前記第５のＵ字形の中空パターンの一端が前記第４のＵ字形の中空パターンの一端に接続され、他端が前記第６のＵ字形の中空パターンの一端に接続され、前記第１２のパターンの第２のサブパターンは、前記第１２のパターンの第１のサブパターンを前記フィルタケーブルの径方向に沿って１８０度回転させて得られたパターンであり、前記コアワイヤの前記第１２のパターンの第１のサブパターン、第２のサブパターン間の間隔に対応する領域に第１のカットオフ領域があり、前記第１のカットオフ領域に第１の誘電体が充填され、前記第１２のパターンの第１のサブパターンおよび第２のサブパターンの前記コアワイヤに対応する境界上に非中空領域があり、前記第１のカットオフ領域の両側の前記コアワイヤが前記欠陥導体層に接続され、
または、前記エッチングパターンは複数の第１３のパターンを含み、前記第１３のパターンは土字形の中空パターンを含み、前記土字形の中空パターンの第１の垂直辺が前記フィルタケーブルの径方向に沿って設けられ、第１の水平辺および第２の水平辺がそれぞれ前記フィルタケーブルの軸方向に沿って設けられ、前記第１の水平辺の長さが前記第２の水平辺の長さより小さく、前記第２の水平辺の一端に第５の螺旋状中空パターンが設けられ、他端に前記第５の螺旋状中空パターンと完全に対称の第６の螺旋状中空パターンが設けられ、前記第１の水平辺の一端に第７の螺旋状中空パターンが設けられ、前記第７の螺旋状中空パターンが前記第５の螺旋状中空パターンの非中空領域内に位置し、他端に前記第７の螺旋状中空パターンと完全に対称の第８の螺旋状中空パターンが設けられ、前記第８の螺旋状中空パターンが前記第６の螺旋状中空パターンの非中空領域内に位置し、前記コアワイヤの前記垂直辺に対応する領域に第２のカットオフ領域があり、前記第２のカットオフ領域に第２の誘電体が充填され、
または、前記コアワイヤの数が２であり、前記エッチングパターンは複数の第１４のパターンを含み、前記第１４のパターンは日字形の中空パターンを含み、前記日字形の中空パターンは、前記フィルタケーブルの軸方向に沿って設けられた第３の水平辺、第４の水平辺および第５の水平辺、前記フィルタケーブルの径方向に沿って設けられた第２の垂直辺および第３の垂直辺を含み、前記第４の水平辺が前記第３の水平辺と前記第５の水平辺の間に位置し、前記第４の水平辺の前記第３の水平辺に近い側の中部に、前記フィルタケーブルの径方向に沿った非中空線セグメントが設けられ、前記第４の水平辺上に長い辺が前記フィルタケーブルの軸方向に沿った第１のＬ字形の非中空領域、第２のＬ字形の非中空領域、第３のＬ字形の非中空領域がさらに設けられ、前記第１のＬ字形の非中空領域の長い辺が前記非中空線セグメントに接続され、短い辺が前記第２のＬ字形の非中空領域の長い辺に接続され、前記第２のＬ字形の非中空領域の短い辺が前記第３のＬ字形の非中空領域の長い辺に接続され、２本の前記コアワイヤでは、１本の前記コアワイヤが前記第３の水平辺と前記第４の水平辺間の非中空領域に位置し第３のカットオフ領域があり、もう１本の前記コアワイヤが前記第３の水平辺と前記第５の水平辺間の非中空領域に位置し、第４のカットオフ領域があり、前記第３のカットオフ領域に第３の誘電体が充填され、前記第４のカットオフ領域に第４の誘電体が充填され、
または、前記エッチングパターンは複数の第１５のパターンを含み、前記第１５のパターンは方形波中空パターンを含み、前記方形波中空パターンの両端にそれぞれ前記フィルタケーブルの径方向に沿った第４の広幅中空領域が設けられる、ことを特徴とする請求項７に記載のフィルタケーブル。
【請求項１１】
前記欠陥導体層が巻き線の形で配置される、ことを特徴とする請求項１に記載のフィルタケーブル。
【請求項１２】
前記Ｎ層の欠陥導体層の外側に配置され前記Ｎ層の欠陥導体層と絶縁されるＭ層シールド層をさらに含み、その中で、Ｍの値は正の整数である、ことを特徴とする請求項１〜１１のいずれか１項に記載のフィルタケーブル。
【発明の詳細な説明】
【技術分野】
【０００１】
本願は、ケーブルの技術分野に関し、特にフィルタケーブルに関する。
【背景技術】
【０００２】
情報時代の深まり、知的な時代の到来とともに、さまざまな電子機器が人々の生産や生活に参入し、電子機器が動作していると、必然的に周囲環境の他の機器からの電磁干渉の影響を受け、周囲環境の他の機器に一定の電磁干渉を与えるので、電気機器の電磁適合性は非常に重要な指標である。電磁適合性とは、機器が電磁環境での動作要件を満たし、環境中の他の機器に許容できない電磁干渉を与えないことを意味し、電磁適合性が強いほど、機器は電磁環境でより安定して動作する。
【０００３】
関連技術では、機器の電磁適合性を満たすために、例えば、ケーブルの設計を工夫することにより実現するような様々なソリューションが提案されている。一般的に、ケーブルの基本的構造は、１または複数本の互いに絶縁された導体と外部絶縁保護層を含み、該ケーブルの基本的構造に基づいて、電力または情報をある場所から別の場所に伝送でき、現在、この基本的構造の基に、電磁適合性の解決策は次の通りである。
【０００４】
１つは、ケーブルにシールド層を設け、シールド層には、一般的なアルミニウムフィルムシールド層、銅編組ニッケルメッキシールド層などが含まれ、完全なシールド構造を持つケーブルはほとんど外部からの電磁放射干渉のみをシールドでき、ケーブルで伝送される信号に対して顕著な濾過効果はない。
【０００５】
２つは、ツイストペア構造のケーブルであり、その具体的な構造は２本の絶縁保護層を有する銅線を含み、２本の銅線が一定の密度で撚り合わされ、その中で、伝送中に各線から放射される電波はもう１本の線から放射される電波で相殺され、差動モードの信号干渉の程度を効果的に低減するが、ほとんどのツイストペアケーブルには濾過機能上の欠陥がある。
【０００６】
３つは、ケーブルと電子機器間に追加されたフィルタ、電子機器の内部ケーブルインターフェースを介するインターフェースフィルタ回路、フィルタ磁気リング、サスペンションフィルタゴムパッド、フィードスルーフィルタ、キャビティフィルタ、マイクロストリップフィルタなどの構造により、濾過機能を向上させるが、構造が複雑になり、かつケーブルのフロントエンドとバックエンドでのクロストークなどの問題が発生する。
【０００７】
例えば、公開番号ＣＮ２０１１２０４１２７３１．９の特許文献では、フィルタコネクタを介して濾過機能を実現するケーブルが開示され、フィルタコネクタ付きのケーブルが代表的であり、ほとんどのフィルタコネクタのケーブルは以下の欠陥がある。
１、フィルタがケーブルの一端または両端に集中し、フィルタがケーブル軸方向に分布しておらず、フィルタの性能が悪い。
２、濾過機能の設計により、コネクタのサイズと重量が大幅に増加し、使用時に一定の制限がある。
３、ほとんどの場合、ローパスフィルタであり、ハイパス、バンドパス、バンドストップの濾過機能を実現することは困難である。
【０００８】
また例えば、公開番号ＵＳ５６８６６９７の特許文献では、ケーブルコネクタの内部にサスペンションフィルタ回路を搭載したゴムパッドを取り付けることにより、ケーブル伝送信号を濾過する方法が開示される。典型的な技術として、シリコンゴム基板内で細い導線を介してＸ２Ｙ容量を航空プラグコアワイヤーと外部シールド間に直列に接続して、ラインからアースへのコモンモードフィルタを形成するか、またはＸ２Ｙ容量は細い導線を介して２本の航空プラグコアワイヤー間に接続しライン間の差動モードフィルタを形成する。該サスペンションフィルタ回路装置は代表的であり、ほとんどのサスペンションフィルタ回路は以下の欠陥がある。
１、一括エレメントで構築されたフィルタ回路は、使用されるエレメントのサイズによって制限され、構築されたフィルタネットワークの段数が非常に少なく、高周波に対する濾過性能が弱い。
２、フィルタ回路の入力と出力端のケーブルの結合が大きいため、濾過効果が大幅に低下する。
３、フィルタ回路がケーブルの一端または両端のコネクタの近くに位置し、フィルタの位置が集中しており、効果が悪い。
４、一括フィルタエレメントのサイズが小さく、回路を構成する線が細く、放熱や濾過できる干渉電力が小さく、信頼性が悪い。
【０００９】
また、例えば、公開番号ＣＮ２０５７９０７３９-Ｕの特許文献では、干渉防止ケーブルアセンブリが開示される。それは、シールドケーブルの一端または両端のコアワイヤにセラミックフィードスルーフィルタを独立して取り付けて濾過機能を実現する。このセラミックフィードスルーフィルタ付きのシールドフィルタケーブルが代表的であり、ほとんどのセラミックフィードスルーフィルタ付きのシールドフィルタケーブルは以下の欠陥がある。
１、フィードスルーフィルタは、より大きな空間を占め、航空プラグの重量と体積が増加し、実際の使用に大きな不便をもたらす。
２、フィルタ回路がケーブルの一端または両端のコネクタ近くに位置し、フィルタの位置が集中しており、効果が悪い。
３、フィードスルーフィルタの濾過性能が悪く、特に高周波に対する濾過性能が悪い。
４、ほとんどはローパスフィルタであり、ハイパス、バンドパス、バンドストップの濾過機能を実現するのは困難である。
【００１０】
また、例えば、公開番号ＣＮ２０１６２０６６６４４６．２、ＣＮ２０１６１０３６５４５４．８、ＣＮ２０１６２００８７０１９．９、ＣＮ２０１５２１００９５１４．Ｘの特許文献では、ケーブルの内部に磁性材料、炭素繊維および金属混合物を追加することにより濾過機能を実現する。その磁性材料にはフェライト、ナノ結晶磁石またはポリマー磁石などが含まれる。このような電磁エネルギー吸収材料が代表的であり、電磁エネルギー吸収材料に基づくフィルタケーブルのほとんどは以下の欠陥がある。
１、ケーブルの重量が顕著に増加する。
２、材料層は一定の硬度または脆性があり、ケーブルの回転半径と損傷なしに曲げる回数が制限される。
３、材料層の追加によりケーブルの温度安定性に影響を与える。
【発明の概要】
【００１１】
本願の目的は、従来技術におけるケーブルの良好な濾過性能を果たしながら、シンプルで合理的な構造設計を確保できない問題を解決するためのフィルタケーブルを提供することである。
【００１２】
本願の目的は、以下の技術的解決策によって実現される。
【００１３】
フィルタケーブルは、前記フィルタケーブルの径方向に沿った断面において、コアワイヤ、前記コアワイヤを囲むＮ層の欠陥導体層が内側から外側に順次配置され、前記欠陥導体層上にエッチングパターンがあり、前記エッチングパターンは前記フィルタケーブルの軸方向に沿って分布され、前記エッチングパターンは、前記フィルタケーブルをプリフィルタ回路と等価にして前記フィルタケーブルで伝送された信号を濾過するために使用され、その中で、Ｎの値は正の整数である。
【００１４】
上記フィルタケーブルは、前記フィルタケーブルで伝送された信号をフィルタすることができ、一方で、他の部品を追加せずに、ケーブル自身の構造によってフィルタを実現し、且つエッチングパターンがケーブル上に分布されるため、ケーブルの各部分も良好な濾過特性を備え、実施例では、欠陥導体層上のエッチングパターンを必要に応じて設定でき、エッチングパターンを介してフィルタケーブルをプリフィルタ回路と等価であり、任意の濾過効果を実現し、他方で、フィルタ回路の入力と出力端がフィルタケーブルの両端に分布され、大きな結合がなく、濾過効果が非常に優れ、また、一方で、フィルタケーブルは一定のサイズ、放熱効果があり、濾過可能な干渉電力、信頼性も向上する。このように、ケーブルの通常の電力または信号伝送が保証され、ケーブルの重量、サイズが大きくなり過ぎないため、ケーブルは優れた電磁信号濾過特性を有する。なお、欠陥導体層は温度安定性があり、フィルタケーブルの温度安定性に影響を与えなく、欠陥導体層は一定の靭性があり、曲げ性能に影響を与えない。
【００１５】
可能な設計では、前記エッチングパターンは前記フィルタケーブルの軸方向に沿って周期的または非周期的に分布している。
【００１６】
可能な設計では、前記エッチングパターンのエッチング領域は中空状であるか、または絶縁材料で満たされている。
【００１７】
可能な設計では、Ｎ層の欠陥導体層間が互い絶縁または接続されている。
【００１８】
可能な設計では、Ｎの値が１の場合、前記エッチングパターンには複数の第１のパターンが含まれ、
【００１９】
前記第１のパターンは、前記フィルタケーブルの径方向に沿って配置された第１の中空線セグメントを含み、第１の中空線セグメントの一端は第１の螺旋状中空パターンを備え、他端は第２の螺旋状中空パターンを備え、
前記第２の螺旋状中空パターンは前記第１の螺旋状中空パターンと対称的に配置される。
【００２０】
可能な設計では、前記エッチングパターンは、複数の第２のパターンを含み、
前記第２のパターンは、互いに間隔を空けて配置された第１の二重リング状中空パターンおよび第２の二重リング状中空パターンを含み、
前記第１の二重リング状中空パターンは前記第２の二重リング状中空パターンと対称であり、対称軸が前記フィルタケーブルの径方向に沿って配置され、
前記第１の二重リング状中空パターンおよび前記第２の二重リング状中空パターンの外輪上の対称軸に近い側の中部に第１の非中空領域を有し、
前記第１の二重リング状中空パターンおよび前記第２の二重リング状中空パターンの内輪上の対称軸から離れた側の中部に第２の非中空領域を有する。
【００２１】
可能な設計では、前記プリフィルタ回路は、ローパスフィルタ回路、バンドストップフィルタ回路またはバンドパスフィルタ回路を含む。
【００２２】
可能な設計では、Ｎの値が１で、前記プリフィルタ回路はローパスフィルタ回路を含む場合、
前記エッチングパターンは、複数の第３のパターンを含み、前記第３のパターンは、前記フィルタケーブルの軸方向に沿った第２の中空線セグメントを含み、前記第２の中空線セグメントは、第３の中空線セグメント、第３の中空線セグメントの両端に対称に配置され対称軸が前記フィルタケーブルの径方向に沿って配置される第４の中空線セグメント、および第５の中空線セグメントを含み、第６の中空線セグメントが前記第２の中空線セグメントから離れて並んで配置され、前記第６の中空線セグメント上の前記第３の中空線セグメントに対応する領域に第３の非中空領域を有し、前記第４の中空線セグメントに対応する領域は、前記第４の中空線セグメントに接続された第１の狭幅中空領域を有し、前記第５の中空線セグメントに対応する領域は、前記第５の中空線セグメントに接続された第２の狭幅中空領域を有し、
または、前記エッチングパターンは、複数の第４のパターンを含み、前記第４のパターンは、互いに間隔で対称であり対称軸が前記フィルタケーブルの径方向に沿って配置された２つのサブパターンを含み、前記第４のパターンのサブパターンは、前記フィルタケーブルの径方向に沿って並んで配置された第７の中空線セグメントおよび第８の中空線セグメントを含み、前記第７の中空線セグメントの両端にはそれぞれ第１の単一リング状中空パターンが設けられ、前記第１の単一リング状中空パターンの前記第７の中空線セグメントから離れた辺の中部には非中空領域があり、前記第８の中空線セグメントの両端にはそれぞれ第２の単一リング状中空パターンが設けられ、前記第２の単一リング状中空パターンの前記第８の中空線セグメントから離れた辺の中部に非中空領域があり、前記第２の単一リング状中空パターンで囲まれた領域の面積は、前記第１の単一リング状中空パターンで囲まれた領域の面積より大きく、
または、前記エッチングパターンは、複数の第５のパターンを含み、前記第５のパターンは、交差して配置された第９の中空線セグメントおよび第１０の中空線セグメントを含み、前記第９の中空線セグメントは前記フィルタケーブルの軸方向に沿って配置され両端にはそれぞれ第１の広幅中空領域が設けられ、前記第１０の中空線セグメントは前記フィルタケーブルの径方向に沿って配置され両端にはそれぞれ第２の広幅中空領域が設けられ、前記第２の広幅中空領域で囲まれた領域の面積は、前記第１の広幅中空領域で囲まれた領域の面積よりも大きく、
または、前記エッチングパターンは、複数の第６のパターンを含み、前記第６のパターンは、順次配置された第１のＵ字形の中空パターン、第２のＵ字形の中空パターンおよび第３のＵ字形の中空パターンを含み、前記第１のＵ字形の中空パターン、前記第２のＵ字形の中空パターンおよび前記第３のＵ字形の中空パターンの開口が前記フィルタケーブルの径方向に沿って配置され、前記第２のＵ字形の中空パターンの開口方向は、前記第１のＵ字形の中空パターン、前記第３のＵ字形の中空パターンの開口方向とは反対であり、前記第２のＵ字形の中空パターンの一端が前記第１のＵ字形の中空パターンの一端に接続され、他端が前記第３のＵ字形の中空パターンの一端に接続され、
または、前記エッチングパターンは、複数の第７のパターンを含み、前記第７のパターンは、前記フィルタケーブルの径方向に沿った第１１の中空線セグメントを含み、前記第１１の中空線セグメントの両端にはそれぞれ第３の広幅中空領域が設けられる。
【００２３】
可能な設計では、Ｎの値が１で、前記プリフィルタ回路はバンドストップフィルタ回路を含む場合、
前記エッチングパターンは複数の第８のパターンを含み、前記第８のパターンは、前記フィルタケーブルの径方向に沿った第１２の中空線セグメントを含み、前記第１２の中空線セグメントの両端にはそれぞれ第３の単一リング状中空パターンが設けられ、前記第３の単一リング状中空パターンの前記第１２の中空線セグメントに近い側には非中空領域があり、
または、前記エッチングパターンは複数の第９のパターンを含み、前記第９のパターンは、前記フィルタケーブルの径方向に沿った第１３の中空線セグメントを含み、第１３の中空線セグメントの一端には第３の螺旋状中空パターンが設けられ、他端には第４の螺旋状中空パターンが設けられ、前記第３の螺旋状中空パターンは前記第４の螺旋状中空パターンと非対称であり、
または、前記エッチングパターンは複数の第１０のパターンを含み、前記第１０のパターンは、前記フィルタケーブルの軸方向に沿って並んで配置された第１４の中空線セグメント、第１５の中空線セグメントを含み、前記第１４の中空線セグメント、第１５の中空線セグメント間に、前記フィルタケーブルの径方向に沿って第１６の中空線セグメントが設けられ、前記第１４の中空線セグメントの中部が前記第１６の中空線セグメントを介して第１５の中空線セグメントの中部に接続され、前記第１４の中空線セグメント、第１５の中空線セグメント間、前記第１６の中空線セグメントの両側にそれぞれ第３の単一リング状中空パターンが設けられ、前記第３の単一リング状中空パターンの前記第１６の中空線セグメントに近い辺の中部には非中空領域があり、
または、前記エッチングパターンは複数の第１１のパターンを含み、前記第１１のパターンは、長方形の第４の単一リング状中空パターンを含み、前記第４の単一リング状中空パターンの一対の辺が前記フィルタケーブルの径方向に沿って配置され、もう一対の辺が前記フィルタケーブルの軸方向に沿って配置され、前記第４の単一リング状中空パターンの外側に、前記フィルタケーブルの軸方向に沿って配置された一対の辺の両端、中部にも第１７の中空線セグメントが設けられ、前記第１７の中空線セグメントの一端が前記第４の単一リング状中空パターンに接続され、２つの前記第１７の中空線セグメント間に２つのＬ字形の中空パターンが対称的に配置され、前記Ｌ字形の中空パターンのコーナーが前記第４の単一リング状中空パターンに近接し、一辺が前記第１７の中空線セグメントに近く、前記フィルタケーブルの径方向に沿って配置され前記フィルタケーブルの軸方向に沿って配置された中空線セグメントを介して、近接する前記第１７の中空線セグメントに接続され、他辺が前記第４の単一リング状中空パターンに近く前記フィルタケーブルの軸方向に沿って配置され、前記コアワイヤの前記第４の単一リング状中空パターンに対応する領域には、前記フィルタケーブルの径方向に沿った貫通穴が設けられる。
【００２４】
可能な設計では、前記プリフィルタ回路はバンドパスフィルタ回路を含み、
前記エッチングパターンは複数の第１２のパターンを含み、前記第１２のパターンは互いに間隔を空けて配置された第１のサブパターンおよび第２のサブパターンを含み、前記第１２のパターンの第１のサブパターンは、順次配置された第４のＵ字形の中空パターン、第５のＵ字形の中空パターンおよび第６のＵ字形の中空パターンを含み、前記第４のＵ字形の中空パターン、前記第５のＵ字形の中空パターンおよび前記第６のＵ字形の中空パターンは、前記フィルタケーブルの径方向に沿って開口され、前記第５のＵ字形の中空パターンの開口方向は、前記第４のＵ字形の中空パターン、前記第６のＵ字形の中空パターンの開口方向と反対であり、前記第５のＵ字形の中空パターンの一端が前記第４のＵ字形の中空パターンの一端に接続され、他端が前記第６のＵ字形の中空パターンの一端に接続され、前記第１２のパターンの第２のサブパターンは、前記第１２のパターンの第１のサブパターンを前記フィルタケーブルの径方向に沿って１８０度回転させて得られたパターンであり、前記コアワイヤと前記第１２のパターンの第１のサブパターン、第２のサブパターン間の間隔に対応する領域には第１のカットオフ領域があり、前記第１のカットオフ領域は第１の誘電体で満たされ、前記第１２のパターンの第１のサブパターンおよび第２のサブパターンの前記コアワイヤに対応する境界上に非中空領域があり、前記第１のカットオフ領域の両側の前記コアワイヤが前記欠陥導体層に接続され、
または、前記エッチングパターンは複数の第１３のパターンを含み、前記第１３のパターンは土字形の中空パターンを含み、前記土字形の中空パターンの第１の垂直辺が前記フィルタケーブルの径方向に沿って配置され、第１の水平辺および第２の水平辺がそれぞれ前記フィルタケーブルの軸方向に沿って配置され、前記第１の水平辺の長さが前記第２の水平辺の長さより小さく、前記第２の水平辺の一端に第５の螺旋状中空パターンが設けられ、他端に前記第５の螺旋状中空パターンと完全に対称な第６の螺旋状中空パターンが設けられ、前記第１の水平辺の一端に第７の螺旋状中空パターンが設けられ、前記第７の螺旋状中空パターンが前記第５の螺旋状中空パターンの非中空領域内に位置し、他端に前記第７の螺旋状中空パターンと完全に対称な第８の螺旋状中空パターンが設けられ、前記第８の螺旋状中空パターンが前記第６の螺旋状中空パターンの非中空領域内に位置し、前記コアワイヤの前記垂直辺に対応する領域には第２のカットオフ領域を含み、前記第２のカットオフ領域は第２の誘電体で満たされ、または、前記コアワイヤの数が２で、前記エッチングパターンは複数の第１４のパターンを含み、前記第１４のパターンは日字形の中空パターンを含み、前記日字形の中空パターンは、前記フィルタケーブルの軸方向に沿って配置された第３の水平辺、第４の水平辺および第５の水平辺、前記フィルタケーブルの径方向に沿った第２の垂直辺および第３の垂直辺を含み、前記第４の水平辺が前記第３の水平辺および前記第５の水平辺の間に位置し、前記第４の水平辺の前記第３の水平辺に近い側の中部に、前記フィルタケーブルの径方向に沿った非中空線セグメントがあり、前記第４の水平辺上に、長い辺が前記フィルタケーブルの軸方向に沿った第１のＬ字形の非中空領域、第２のＬ字形の非中空領域、第３のＬ字形の非中空領域が設けられ、前記第１のＬ字形の非中空領域の長い辺が前記非中空線セグメントに接続され、短い辺が前記第２のＬ字形の非中空領域の長い辺に接続され、前記第２のＬ字形の非中空領域の短い辺が前記第３のＬ字形の非中空領域の長い辺に接続され、２本の前記コアワイヤでは、１本の前記コアワイヤが前記第３の水平辺と前記第４の水平辺間の非中空領域に位置し、第３のカットオフ領域を有するが、もう１本の前記コアワイヤが前記第３の水平辺と前記第５の水平辺間の非中空領域に位置し、第４のカットオフ領域を有し、前記第３のカットオフ領域は第３の誘電体で満たされ、前記第４のカットオフ領域は第４の誘電体で満たされ、または、前記エッチングパターンは複数の第１５のパターンを含み、前記第１５のパターンは方形波中空パターンを含み、
前記方形波中空パターンの両端には、それぞれ前記フィルタケーブルの径方向に沿った第４の広幅中空領域が設けられる。
【００２５】
可能な設計では、前記欠陥導体層は巻き線の形で配置される。
【００２６】
可能な設計では、前記Ｎ層の欠陥導体層の外側に配置され、前記Ｎ層の欠陥導体層から絶縁されたＭ層シールド層をさらに含み、Ｍの値は正の整数である。
【図面の簡単な説明】
【００２７】
【図１】本願の一実施例によって提供されるケーブルの構造概略図である。
【図２】本願の別の実施例によって提供される第１の層欠陥導体層の側面視構造の概略図である。
【図３】本願の別の実施例によって提供される第１の欠陥導体層の正面視構造の概略図である。
【図４】本願の別の実施例によって提供される第１の欠陥導体層のエッチングパターンの概略図である。
【図５】本願の別の実施例によって提供される第１の欠陥導体層のエッチングパターンの等価回路の概略図である。
【図６】本願の別の実施例によって提供される第２の欠陥導体層の側面視構造の概略図である。
【図７】本願の別の実施例によって提供される第２の欠陥導体層の正面視構造の概略図である。
【図８】本願の別の実施例によって提供される第２の欠陥導体層のエッチングパターンの概略図である。
【図９】本願の別の実施例によって提供される欠陥導体層のエッチングパターンの等価回路の概略図である。
【図１０】本願の別の実施例によって提供されるフィルタケーブルの濾過効果図である。
【図１１】本願の別の実施例によって提供される欠陥導体層の側面視構造の概略図である。
【図１２】本願の別の実施例によって提供される図１１に示される欠陥導体層のエッチングパターンの構造の概略図である。
【図１３】本願の別の実施例によって提供される欠陥導体層のエッチングパターンの構造の概略図である。
【図１４】本願の別の実施例によって提供される図１３に示される欠陥導体層のエッチングパターンの等価回路構造の概略図である。
【図１５】本願の別の実施例によって提供される欠陥導体層のエッチングパターンの構造の概略図である。
【図１６】本願の別の実施例によって提供される図１５に示される欠陥導体層のエッチングパターンの等価回路構造の概略図である。
【図１７】本願の別の実施例によって提供される欠陥導体層のエッチングパターンの構造の概略図である。
【図１８】本願の別の実施例によって提供される図１７に示される欠陥導体層のエッチングパターンの等価回路構造の概略図である。
【図１９】本願の別の実施例によって提供される欠陥導体層のエッチングパターンの構造の概略図である。
【図２０】本願の別の実施例によって提供される図１９に示される欠陥導体層のエッチングパターンの等価回路構造の概略図である。
【図２１】本願の別の実施例によって提供される欠陥導体層のエッチングパターンの構造の概略図である。
【図２２】本願の別の実施例によって提供される図２１に示される欠陥導体層のエッチングパターンの等価回路構造の概略図である。
【図２３】本願の別の実施例によって提供される欠陥導体層のエッチングパターンの構造の概略図である。
【図２４】本願の別の実施例によって提供される図２３に示される欠陥導体層のエッチングパターンの等価回路構造の概略図である。
【図２５】本願の別の実施例によって提供される欠陥導体層のエッチングパターンの構造の概略図である。
【図２６】本願の別の実施例によって提供される欠陥導体層のエッチングパターンの構造の概略図である。
【図２７】本願の別の実施例によって提供される欠陥導体層のエッチングパターンの構造の概略図である。
【図２８】本願の別の実施例によって提供される図２７に示される欠陥導体層のエッチングパターンの等価回路構造の概略図である。
【図２９】本願の別の実施例によって提供される欠陥導体層のエッチングパターンの構造の概略図である。
【図３０】本願の別の実施例によって提供される欠陥導体層のエッチングパターンの構造の概略図である。
【図３１】本願の別の実施例によって提供される図３０に示される欠陥導体層のエッチングパターンの等価回路構造の概略図である。
【図３２】本願の別の実施例によって提供される欠陥導体層のエッチングパターンの構造の概略図である。
【図３３】本願の別の実施例によって提供される図３１に示される欠陥導体層のエッチングパターンの等価回路構造の概略図である。
【図３４】本願の別の実施例によって提供される欠陥導体層のエッチングパターンの構造の概略図である。
【図３５】本願の別の実施例によって提供される欠陥導体層のエッチングパターンの構造の概略図である。
【発明を実施するための形態】
【００２８】
本願の目的、技術的解決策および利点をより明確にするために、以下、図面を参照して本願をさらに詳細に説明する。
【００２９】
実施例
本実施例はフィルタケーブルを提供し、前記フィルタケーブルの径方向に沿った断面において、コアワイヤ、前記コアワイヤを囲むＮ層の欠陥導体層が内側から外側に順次配置され、その内に、前記欠陥導体層上にエッチングパターンが設けられ、前記エッチングパターンが前記フィルタケーブルの軸方向に沿って分布し、前記エッチングパターンはフィルタケーブルをプリフィルタ回路と等価にするために使用され、前記フィルタケーブルで伝送された信号を濾過し、その中で、Ｎの値は正の整数である。
【００３０】
実施例では、Ｎの具体的な値は実際のニーズに応じて設定できる。
【００３１】
分布とは、エッチングパターンがケーブルの軸方向に沿った異なる位置に分布して配置されることを指す。具体的には、前記エッチングパターンは前記フィルタケーブルの軸方向に沿って周期的または非周期的に分布して配置される。
【００３２】
本解決策はまったく新しいフィルタケーブルを提供し、該フィルタケーブルは欠陥導体層に基づき実現されるものである。関連技術において、欠陥導体層に基づき濾過機能を有するケーブルを実現する解決策がなく、本願の発明者は、主に以下の技術的困難を克服する。第一に、ケーブルのコアワイヤの外部に周期的または非周期的にエッチングされた導体層を加えることで、外部インダクタンスおよび容量と等価にし、伝送線の分布容量と分布インダクタンス特性を変化させることができるが、欠陥構造が複雑であるため、従来の伝送線理論に基づき計算・分析できず、伝送線基礎理論に従って具体的な設計案内を提供できなく、且つ計算電磁法によるシミュレーション分析にも、複雑なモデリング、限られたシミュレーション精度、長い計算時間などの問題があり、適切な欠陥導体層の特定構造を取得できない。第二に、欠陥導体層によりケーブルが特定のローパス、バンドパス、バンドストップまたはハイパス形の濾過性能に達するために、非常に複雑な欠陥導体層の構造が必要で、導体上に複雑な構造をエッチングし各構造間に相互影響し、任意構造間にも容量およびインダクタンスが分散し、フィルタケーブル機能の達成に大きな影響を与える。第三に、単層の欠陥導体層によって実現されたフィルタは機能が低く、高い濾過性能を要求する場合、多層の欠陥導体層を使用して高性能濾過機能を実現する必要があり、多層の欠陥導体層は、具体的な層間の結合問題の濾過性能に対する影響を分析するために調整して設計する必要がある、第四に、ケーブル使用環境中の曲げ、ドラグ、ストレッチなどの操作、高温低温、湿度の、フィルタケーブルの性能に対する影響は狭い範囲で制御する必要があり、要件を満たすために軽量、分布式パラメータの構造を使用する必要がある。本願の発明者は、上記の技術的困難を克服し、欠陥導体層に基づくフィルタケーブルを提供し、良好な濾過効果を達成する。
【００３３】
本解決策によって提供されるフィルタケーブルでは、コアワイヤの外部に欠陥導体層を追加することにより、前記欠陥導体層上にエッチングパターンがあり、前記エッチングパターンはフィルタケーブルをプリフィルタ回路と等価にすることができるため、前記フィルタケーブルで伝送された信号を濾過し、一方で、他の部品を追加せずに、ケーブル自身の構造によって濾過を実現し、エッチングパターンがケーブル上に分布して配置されるため、ケーブルの各部分も良好な濾過特性を有する。実施例では、必要に応じて欠陥導体層上のエッチングパターンを配置すればよく、エッチングパターンによりフィルタケーブルをプリフィルタ回路と等価にし、任意の濾過効果を達成し、他方で、フィルタ回路の入力と出力端がフィルタケーブルの両端に分布しており、大きな結合がなく、濾過効果は非常に優れる。また、一方で、フィルタケーブルは一定のサイズを有し、放熱効果、濾過可能な干渉電力、信頼性も向上する。このように、ケーブルの通常の電力または信号伝送が保証され、ケーブルの重量、サイズが大きくなりすぎないため、ケーブルは優れた電磁信号濾過特性を有する。なお、欠陥導体層は温度安定性があり、フィルタケーブルの温度安定性に影響を与えず、欠陥導体層は一定の靭性があり、曲げによる性能に影響を与えることもない。
【００３４】
本解決策によって提供されるフィルタケーブルは、電子機器間の相互接続、電子機器と電源装置間の相互接続、電子機器の内部モジュール間の相互接続、インテリジェントロボットの内部モジュール間の相互接続、インテリジェントＣＮＣマシンツールの内部及び外部など電力と信号を有線で伝送する必要がある場合の相互接続に使用される。本願のフィルタケーブル付きのコネクタにより、電子機器のハウジングとの電磁接続を形成でき、電磁干渉信号を効果的に濾過することができる。電子対策干渉、雷、静電気、核爆発、高電力マイクロ波兵器、電磁パルス爆弾などの電磁パルス干渉の場合、本願のフィルタケーブルは、フィルタケーブル上に結合する電磁応力を効果的に抑制でき、電磁干渉から電子機器を保護する機能を実現する。
【００３５】
上記コアワイヤはケーブル断面の最内層に位置し、コアワイヤの数は１または複数本であり、各コアワイヤの具体的な構造は、中実の柱状（例えば円筒体）または中空管状が含まれ、各コアワイヤは一本鎖コアワイヤまたは複数のコアワイヤを含む。具体的には、コアワイヤの材料には、金属、グラフェン、金属合金、金属合金および金属メッキ層または導電性ポリマーが含まれ、例えば、金属ワイヤの材料には純銅、銅メッキ銀または鋼被覆銅メッキ銀などが含まれ得る。
【００３６】
実施例では、上記欠陥導体層とコアワイヤ間に第１の充填層が設けられ、第１の充填層の材料にはポリテトラフルオロエチレンまたはポリエチレンなどが含まれ、巻き取りや押出発泡によって均一にコアワイヤの外側を包む。
【００３７】
欠陥導体層の数Ｎの値が２以上の場合、Ｎ層の欠陥導体層間は互いに絶縁または接続される。具体的には、Ｎ層の欠陥導体層間に第２の充填層が設けられる。その中で、第２の充填層の材料にはポリテトラフルオロエチレンまたはポリエチレンが含まれ、または、ポリイミドフィルムまたは液晶ポリマー（Ｌｉｑｕｉｄ  Ｃｙｓｔａｌ  Ｐｏｌｙｍｅｒ、ＬＣＰ）フィルムなどの可撓性媒体で作られた可撓性印刷回路基板などであり得る。
【００３８】
欠陥導体層の典型的な実施形態として、ポリイミドフィルムまたはＬＣＰフィルムなどの可撓性媒体で作られた可撓性印刷回路基板である。可撓性印刷回路基板は、優れた電気性能および良好な加工性能を兼ね備えているため、無線周波数、マイクロ波またはミリ波の基板になる。可撓性媒体基板の材料は均一であるため、可撓性媒体基板の誘電特性は非常に均一である。異なる材料処方の場合、ポリイミドフィルムの相対誘電率は２．２〜３．８であり、誘電損失正接値は０．００８未満である可能性がある。工業化された液晶ポリマーフィルムの相対誘電率は３．３であり、誘電損失正接値は０．００５未満である。なお、可撓性媒体基板材料の吸水率は非常に低く（２３℃、相対湿度５０％で、０．０４％未満）、湿度の高い条件下でサイズと誘電特性があまり変化しない。これらの性能に基づいて、可撓性媒体基板を使用して異なるタイプの欠陥導体層を容易に設計・製作して、異なる特性のフィルタケーブルに適用することができる。
【００３９】
欠陥導体層中の上記エッチングパターンのエッチング領域は、何も処理せずに中空状であるか、または絶縁材料を充填してもよく、充填された絶縁材料にはポリテトラフルオロエチレンまたはポリエチレンなどが含まれるが、これらに限定されない。
【００４０】
可能な設計では、ケーブル上には、前記Ｎ層の欠陥導体層の外側に配置され前記Ｎ層の欠陥導体層から絶縁されたＭ層シールド層がさらに含まれる。Ｍの値は正の整数である。実施例では、Ｍの値は実際のニーズに応じて設定できる。
シールド層は、銅メッキ銀テープ、超軽量銀メッキ金属編組層または銅メッキ銀編組メッシュを含み得るが、これらに限定されない。
【００４１】
実施例では、シールド層と欠陥導体層間に第３の充填層で充填される。第３の充填層の材料は、ポリテトラフルオロエチレンまたはポリエチレンなどであり得るがこれらに限定されなく、巻き線または押出発泡方式によって均一に欠陥導体層の外側を包む。
【００４２】
シールド層の層数Ｍの値が２以上の場合、Ｍ層シールド層間に互い絶縁または接続される。具体的には、Ｍ層欠陥導体層は第４の充填層で絶縁される。第４の充填層の材料はフッ素化エチレンプロピレンポリマーなどを含み得るが、これに限定されない。
【００４３】
フィルタケーブルを保護するために、フィルタケーブル上に、Ｍ層シールド層の外側に設けられた外部保護カバーをさらに含んでもよい。外部保護カバーは、フィルタケーブルの最外層からフィルタケーブルを物理的に保護し、フィルタケーブルの使用寿命を延ばす構造であり、外部保護カバーの材料は、ポリテトラフルオロエチレン、ポリエチレン、フッ素化エチレンプロピレンポリマー、シリコンゴム、ポリウレタン、ステンレス、ＲＡＤＯＸ、ネオプレンまたは低煙ハロゲンフリー材料などを含み得るが、これらに限定されない。
【００４４】
実施例では、フィルタケーブルの両端にコネクタを取り付けて簡単に使用できる。
【００４５】
以下、具体的なフィルタケーブルの構造を例にして説明する。
【００４６】
図１に示すように、本実施例によって提供されるフィルタケーブルでは、フィルタケーブルの径方向の断面に沿って、内側から外側に順次コアワイヤ１、コアワイヤ１を囲む第１の充填層２１、第１の欠陥導体層３１、第２の充填層２２、第２の欠陥導体層３２、第３の充填層２３、第１のシールド層４１、第４の充填層２４、第２のシールド層４２、外部保護カバー５を含む。図１のフィルタケーブルの構造は一例にすぎず、限定するものではなく、他の構造であってもよい。
【００４７】
図２、３、および４に示すように、第１の欠陥導体層３１は、第１の充填層２１の円筒面の第１の欠陥導体層の導体３１１上に周期的または非周期的に第１の欠陥導体層がエッチングされたエッチングパターン３１２があり、エッチングされた部分は中空であるか、またはその位置に絶縁材料を充填することができる。本実施形態では、第１の欠陥導体層の導体３１１の円筒面上に、周期的に一部の第１の欠陥導体層がエッチングされて得られたエッチングパターン３１２は図４に示すように、螺旋状のエッチングパターンを含む。具体的には、前記エッチングパターンは複数の第１のパターンを含み、図４では、前記第１のパターンは、前記フィルタケーブルの径方向に沿った第１の中空線セグメント６０１を含み、第１の中空線セグメント６０１の一端に第１の螺旋状中空パターン６０２が設けられ、他端に第２の螺旋状中空パターン６０３が設けられ、前記第２の螺旋状中空パターン６０３が前記第１の螺旋状中空パターン６０１と対称的に設けられる。これに基づいて、図５に示すように、第１の欠陥導体層３１のエッチングパターンはフィルタケーブルを以下の回路と等価にすることができる。第１のノードＰ１および第２のノードＰ２上の伝送線固有インピーダンスＺ０(等価電気長さφ)がインピーダンスＺ２で等価電気長さθ、インピーダンスＺ１で等価電気長さ２θおよびインピーダンスＺ２で等価電気長さθの短絡ハーモニック線に並列に接続され、第１のインダクタンスＬ１および第１の抵抗Ｒ１に並列に接続される。
【００４８】
その中で、第１のノードはフィルタケーブルの入力端であり、第２のノードはフィルタケーブルの出力端であり、第１のノードＰ１および第２のノードＰ２間の等価回路はエッチングパターンによって異なる。
【００４９】
第２の充填層２２が第１の欠陥導体層３１をしっかりと包み、円筒体構造を形成する。具体的には、ポリテトラフルオロエチレンまたはポリエチレンなどの絶縁材料を巻き線または押出発泡方式で均一に第１の欠陥導体層３１の外側を包む。
【００５０】
図６、７、８に示すように、第２の欠陥導体層３２は、第２の充填層２２の円筒面の外側の第２の欠陥導体層導体３２１上に、周期的または非周期的に第１の欠陥導体層がエッチングされて得られたエッチングパターン３２２があり、エッチングされた部分は中空であるかまたはその位置にポリテトラフルオロエチレンまたはポリエチレンなどの絶縁材料を充填することができる。本実施例では、第２の欠陥導体層導体３２１の円筒面上に、周期的に一部の第２の欠陥導体層がエッチングされ得られたエッチングパターン３２２は図８に示される。前記エッチングパターンは複数の第２のパターンを含み、図８では、前記第２のパターンは、互いに間隔を空けて配置された第１の二重リング状中空パターン６０４および第２の二重リング状中空パターン６０５を含み、前記第１の二重リング状中空パターン６０４および前記第２の二重リング状中空パターン６０５は対称であり、対称軸が前記フィルタケーブルの径方向に沿って設けられ、前記第１の二重リング状中空パターン６０４および前記第２の二重リング状中空パターン６０５の外輪上の対称軸に近い側の中部に、第１の非中空領域６０６があり、前記第１の二重リング状中空パターン６０４および前記第２の二重リング状中空パターン６０５の内輪上の対称軸から離れた側の中部に、第２の非中空領域６０７がある。
【００５１】
その中で、前記第１の二重リング状中空パターン６０４および前記第２の二重リング状中空パターン６０５は様々な形状を有し、例えば長方形であり、図では長方形で説明するが、これに限定されない。
【００５２】
前記第２の欠陥導体層３２は、フィルタケーブルを図９に示される等価回路と等価にすることができる。図９中の等価回路は第２のインダクタンスＬ２、第３のインダクタンスＬ３、第４のインダクタンスＬ４、第５のインダクタンスＬ５、第６のインダクタンスＬ６、第７のインダクタンスＬ７、第１の容量Ｃ１、第２の容量Ｃ２、第３の容量Ｃ３、第４の容量Ｃ４、第５の容量Ｃ５、第６の容量Ｃ６、および第７の容量Ｃ７を含む。その中で、第２のインダクタンスＬ２の第１の端がそれぞれ第１のノードＰ１および第１の容量Ｃ１の第１の端に接続され、第２のインダクタンスＬ２の第２の端がそれぞれ第３のインダクタンスＬ３の第１の端、第２の容量Ｃ２の第１の端に接続され、第３のインダクタンスＬ３１０の第２の端がそれぞれ第４のインダクタンスＬ４の第１の端、第４の容量Ｃ４の第１の端に接続され、第４のインダクタンスＬ４の第２の端がそれぞれ第５のインダクタンスＬ５の第１の端および第５の容量Ｃ５の第１の端に接続され、第５のインダクタンスＬ５の第２の端がそれぞれ第７の容量Ｃ７の第１の端および第２のノードＰ２に接続される。第２の容量Ｃ２の第２の端がそれぞれ第６のインダクタンスＬ６の第１の端、第３の容量Ｃ３の第１の端に接続され、第５の容量Ｃ５の第２の端がそれぞれ第７のインダクタンスＬ７の第１の端、第６の容量Ｃ６の第１の端に接続され、第１の容量Ｃ１の第２の端、第６のインダクタンスＬ６の第２の端、第３の容量Ｃ３の第２の端、第４の容量Ｃ４の第２の端、第７のインダクタンスＬ７の第２の端、第６の容量Ｃ６の第２の端、第７の容量Ｃ７の第２の端がそれぞれ接地されている。
【００５３】
前記第３の充填層２３は第２の欠陥導体層３２をしっかりと包み、円筒体構造を形成し、具体的には、ポリテトラフルオロエチレンまたはポリエチレンなどの絶縁材料を巻き線または押出発泡方式で均一に第２の欠陥導体層の外側を包む。
【００５４】
前記第１のシールド層４１は、第３の絶縁層２３の外側に包まれた１層または多層の金属シールド層であり、例えば、第１のシールド層は銅メッキ銀テープである。
【００５５】
前記第４の絶縁層２４は第１のシールド層４１をしっかりと包み、円筒体構造を形成し、例えば、第４の充填層の材料はフッ素化エチレンプロピレンポリマーを含む。
【００５６】
前記第２のシールド層４２は、第４の絶縁層２４の外側に包まれた１層または多層の金属シールド層であり、例えば、第２のシールド層は超軽量銀メッキ金属編組層または銅メッキ銀編組メッシュである。
【００５７】
前記第１の欠陥導体層３１、第２の欠陥導体層３２、前記第１のシールド層４１、第２のシールド層４２は、必要に応じて接続され、共通の接地接続を形成してもよい。
【００５８】
図１０に示すように、本実施例の欠陥導体層に基づくフィルタケーブルによる挿入損失効果図から、欠陥導体層に基づくフィルタケーブルはローパスフィルタケーブルであり、長さ約０．１ｍの欠陥導体層に基づくフィルタケーブルによる挿入損失効果は、０〜２ＧＨｚの挿入損失が０．５ｄＢ未満であり、２．２〜８ＧＨｚの挿入損失が３０ｄＢを超える。図１０では、横軸は周波数を示し、単位はＧＨｚ（つまりＧＨ）であり、縦軸は挿入損失（つまり差損失）を示し、単位はｄＢである。
【００５９】
具体的な実施例では、実際のニーズに応じて様々な構造のエッチングパターンを設計して、様々なフィルタ回路の効果を実現できる。可能な設計では、前記プリフィルタ回路は、ローパスフィルタ回路、バンドストップフィルタ回路またはバンドパスフィルタ回路を含み得る。以下、異なるエッチングパターンの構造を例を挙げて説明する。
【００６０】
構造１：
Ｎの値は１で、前記プリフィルタ回路はローパスフィルタ回路を含み、前記エッチングパターンは複数の第３のパターンを含む場合、
図１１および図１２に示すように、図１２でエッチングパターンの１周期（つまり破線フレームＡに示される第３のパターン）の具体構造を示し、前記第３のパターンは、前記フィルタケーブルの軸方向に沿った第２の中空線セグメント６０８を含み、前記第２の中空線セグメント６０８は、第３の中空線セグメント６０９、第３の中空線セグメントの両端に対称であり対称軸が前記フィルタケーブルの径方向に沿って設けられた第４の中空線セグメント６１０および第５の中空線セグメント６１１、前記第２の中空線セグメント６０８と間隔を空けて並んで設けられた第６の中空線セグメント６１２を含み、前記第６の中空線セグメント６１２上の前記第３の中空線セグメント６０９に対応する領域は第３の非中空領域６１３を有し、前記第４の中空線セグメント６１０に対応する領域は、前記第４の中空線セグメント６１０に接続された第１の狭幅中空領域６１４を含み、前記第５の中空線セグメント６１１に対応する領域は、前記第５の中空線セグメント６１１に接続された第２の狭幅中空領域６１５を含む。その中で、第１の狭幅中空領域６１４、第２の狭幅中空領域６１５のフィルタケーブルの径方向に沿った幅が第６の中空線セグメント６１２上の他の位置の幅より小さい。
【００６１】
本実施例は、非対称ＰＩ（つまりπ）形状の欠陥導体層に基づくローパスフィルタケーブルを提供する。図１１に示すように、具体的に実装する場合、ポリイミドフィルム基板上に、カスケードで非対称ＰＩ形状の第３のパターンの銅層を１０層形成して、フィルタケーブルの絶縁層の外側を包むことで、フィルタケーブルのローパス濾過機能を実現する。図１２中の第３のパターンは１つの共振ユニットＡの構造図とする。その構造パラメータの一般的な値は、ポリイミドフィルム基板の相対誘電率はεｒ＝３．８、損失接線ｔａｎδ＝０．００８、基板サイズ長さＬｓｕｂ×幅Ｗｓｕｂ×高さＨｓｕｂ＝１００ｍｍ×２．６ｍｍ×０．２５４ｍｍである。共振ユニットのサイズは、第２の中空線セグメント６０８のフィルタケーブルの軸方向に沿った長さＤ１＝９．３ｍｍであり、第３のパターンの周期間隔距離Ｄ２＝０．７ｍｍであり、第４の中空線セグメント６１０のフィルタケーブルの軸方向に沿った長さＤ３＝３．９ｍｍであり、第１の狭幅中空領域６１４の接続用の領域、第２の狭幅中空領域６１５の接続用の領域のフィルタケーブルの軸方向に沿った長さＤ４＝０．３ｍｍであり、第６の中空線セグメント６１２上の第１の狭幅中空領域６１４と第３の非中空領域６１３間にある部分の長さ、および第６の中空線セグメント６１２上の第２の狭幅中空領域６１５と第３の非中空領域６１３間にある部分の長さＤ５＝１．５ｍｍであり、フィルタケーブル絶縁層の直径Ｄｒ＝１．０７ｍｍであり、内導体の直径Ｄｉ＝０．５ｍｍである。第２の中空線セグメント６０８のフィルタケーブルの径方向に沿った長さＷ１＝０．４６５ｍｍであり、第２の中空線セグメント６０８の第６の中空線セグメント６１２に近い２辺間の距離Ｗ２＝１ｍｍであり、第１の狭幅中空領域６１４および第２の狭幅中空領域６１５は第６の中空線セグメント６１２上の他の位置の線幅よりもＷ３＝０．４ｍｍ狭く、第２の中空線セグメント６０８の第６の中空線セグメント６１２から離れた２辺間の距離Ｗ４＝１．９６５ｍｍであり、第６の中空線セグメント６１２の第２の中空線セグメント６０８から離れた側に有する少なくとも非中空領域のフィルタケーブルの径方向に沿った長さＷ５＝０．４５ｍｍである。パラメータＤ１とＤ３が大きくなると応答頻度を減らすことができる。フィルタケーブルの半径が小さいと、濾過可能な共振周波数がより低く、効果が良くなる。本実施例の構造によって実現されるフィルタケーブルは、強い遷移帯域（ＴＢ）、超広帯域停止帯域（ｓｔｏｐ  ｂａｎｄ、ＳＢ）、および非常に高い停止帯域性能を有し、本実施例で提出される１０個のカスケード共振ユニットを有する欠陥導体層は１００ｍｍ×２．６ｍｍ×０．２５４ｍｍのコンパクトサイズであり、２．２ＧＨｚ下で挿入損失が１．９ｄＢ未満であり、２．７ＧＨｚ〜１２ＧＨｚの範囲で５０ｄＢを超える広いＳＢを有し、本実施例で提出される可撓性ローパスフィルタケーブルは、良好な伝送およびローパス濾過機能を有し、無線端末の従来の無線周波数同軸ケーブルを置き換える可能性がある。
【００６２】
構造２：
Ｎの値は１で、前記プリフィルタ回路はローパスフィルタ回路を含み、前記エッチングパターンは複数の第４のパターンを含む場合、
図１３に示すように、前記第４のパターンは、互いに間隔を空けて対称であり対称軸が前記フィルタケーブルの径方向に沿って設けられたサブパターン６１６を含む。前記第４のパターンのサブパターン６１６は、前記フィルタケーブルの径方向に沿って並んで設けられた第７の中空線セグメント６１７および第８の中空線セグメント６１８を含み、前記第７の中空線セグメント６１７の両端にそれぞれ第１の単一リング状中空パターン６１９が設けられ、前記第１の単一リング状中空パターン６１９の前記第７の中空線セグメント６１７から離れた辺の中部に非中空領域があり、前記第８の中空線セグメント６１８の両端にそれぞれ第２の単一リング状中空パターン６２０が設けられ、前記第２の単一リング状中空パターン６２０の前記第８の中空線セグメント６１８から離れた辺の中部に非中空領域があり、前記第２の単一リング状中空パターン６２０で囲まれた領域の面積が、前記第１の単一リング状中空パターン６１９で囲まれた領域の面積よりも大きい。その中で、前記第２の環状中空パターン６１９は前記第２の環状中空パターン６２０に対応する中空線セグメントの幅と一致する。前記第７の中空線セグメント、前記第８の中空線セグメント、前記第１の環状中空パターンの非中空領域および前記第２の環状中空パターンの非中空領域はフィルタケーブルの軸方向に沿った幅は一致する。
【００６３】
図１３から分かるように、第４のパターン全体はダンベル構造に非常に類似するため、本実施例によって提供されるローパスフィルタケーブルの欠陥導体層は、ダンベル構造を基に、Ｔ字形の領域を埋め込んで形成されるものであり、新しい欠陥導体層構造によって生成される２つの伝送ゼロ点は、同じ正方形の領域サイズでダンベル型欠陥導体層をエッチングすることによって生成される伝送ゼロ点より低くなる。実施例では、第２の単一リング状中空パターン６２０、前記第１の単一リング状中空パターン６１９の形状は長方形であるが、これに限定されない。この図では、長方形を例として説明する。対応のサイズは実際のニーズに応じて設定でき、例えば、図１３に示される構造のサイズは、第１の単一リング状中空パターン６１９の外輪の軸方向長さＤ６＝５ｍｍであり、第１の単一リング状中空パターン６１９と第２の単一リング状中空パターン６２０間の距離Ｄ７＝６ｍｍであり、第２の単一リング状中空パターン６２０の外輪の幅Ｄ８＝８ｍｍであり、２つのサブパターンの第２の単一リング状中空パターン６２０間の距離Ｄ９＝６ｍｍであり、第１の単一リング状中空パターン６１９の内輪のフィルタケーブルの軸方向に沿った長さＤ１０＝４ｍｍであり、第２の単一リング状中空パターン６２０の内輪のフィルタケーブルの軸方向に沿った長さＤ１１＝７ｍｍであり、第１の単一リング状中空パターン６１９の外輪のフィルタケーブルの径方向に沿った長さＷ６＝３ｍｍであり、第２の単一リング状中空パターン６２０の外輪のフィルタケーブルの径方向に沿った長さＷ７＝５ｍｍであり、第１の単一リング状中空パターン６１９の非中空領域がある辺のフィルタケーブルの径方向に沿った長さＷ８＝１ｍｍであり、第２の単一リング状中空パターン６２０の非中空領域がある辺のフィルタケーブルの径方向に沿った長さＷ９＝１ｍｍであり、第１の単一リング状中空パターン６１９の内輪のフィルタケーブルの径方向に沿った長さＷ１０＝１．５ｍｍであり、第２の単一リング状中空パターン６２０の内輪のフィルタケーブルの径方向に沿った長さＷ１１＝３．５ｍｍであり、第７の中空線セグメントおよび第８の中空線セグメントのフィルタケーブルの径方向に沿った長さＷ１２＝１．５ｍｍであり、第７の中空線セグメントのフィルタケーブルの径方向に沿った幅ｇ１＝第８の中空線セグメントのフィルタケーブルの径方向に沿った幅ｇ２＝第１の単一リング状中空パターン６１９の非中空領域のフィルタケーブルの軸方向に沿った長さｇ３＝第２の単一リング状中空パターン６２０の非中空領域のフィルタケーブルの軸方向に沿った長さｇ４＝０．４ｍｍである。本実施例の構造によれば、フィルタケーブルを図１４に示される等価回路と等価にすることができる。図１４に示される等価回路は、第２の抵抗Ｒ２、第８の容量Ｃ８、第９の容量Ｃ９、第１０の容量Ｃ１０、第１１の容量Ｃ１１、第８のインダクタンスＬ８、第９のインダクタンスＬ９を含む。その中で、第２の抵抗Ｒ２の第１の端がそれぞれ第１のノードＰ１、第８のインダクタンスＬ８の第１の端、第８の容量Ｃ８の第１の端、第９の容量Ｃ９の第１の端に接続され、第２の端がそれぞれ第２のノードＰ２、第８のインダクタンスＬ８の第２の端、第８の容量Ｃ８の第２の端、第１０の容量Ｃ１０の第１の端に接続され、第９の容量Ｃ９の第２の端がそれぞれ第１１の容量Ｃ１１の第１の端、第９のインダクタンスＬ９の第１の端、第１０の容量Ｃ１０の第２の端に接続され、第１１の容量Ｃ１１の第２の端、第９のインダクタンスＬ９の第２の端がそれぞれ接地される。この構造に基づく濾過性能としては、カットオフ周波数は３ｄＢであるローパスフィルタが得られ、４ＧＨｚ下で非常にシャープなカットオフ周波数応答と超広帯域停止帯域が示され、４．２〜２３ＧＨｚでの除去率が２５ｄＢより高い。
【００６４】
構造３：
Ｎの値は１で、前記プリフィルタ回路はローパスフィルタ回路を含み、前記エッチングパターンは、複数の第５のパターンを含む場合、図１５に示すように、前記第５のパターンは、交差して設けられた第９の中空線セグメント６２１および第１０の中空線セグメント６２３を含み、前記第９の中空線セグメント６２１が前記フィルタケーブルの軸方向に沿って配置され両端にそれぞれ第１の広幅中空領域６２２が設けられ、前記第１０の中空線セグメント６２３が前記フィルタケーブルの径方向に沿って配置され両端にそれぞれ第２の広幅中空領域６２４が設けられ、前記第２の広幅中空領域６２３で囲まれた領域の面積が前記第１の広幅中空領域６２２で囲まれた領域の面積よりも大きい。
【００６５】
本実施例は、交差ダンベル型欠陥導体層に基づくローパスフィルタケーブルを提供する。図１５から分かるように、交差ダンベル型欠陥導体層に基づくローパスフィルタケーブルは、十字形に交差した２つのダンベル型構造によってローパス濾過機能を実現し、ダンベル型構造よりも高い停止帯域除去率とより広いバンドの停止帯域特性を実現できる。図１５の構造に基づき、具体的なパラメータは実際のニーズに応じて設定でき、例えば、ある実施例では、具体的なパラメータは、第２の広幅中空領域６２４のフィルタケーブルの軸方向に沿った長さＷ１３＝１２ｍｍであり、第１の広幅中空領域６２２のフィルタケーブルの軸方向に沿った長さＷ１４＝３ｍｍであり、第１０の中空線セグメント６２３のフィルタケーブルの軸方向に沿った長さＷ１５＝第９の中空線セグメント６２１のフィルタケーブル径方向に沿った長さＷ１６＝２ｍｍであり、第２の広幅中空領域６２４のフィルタケーブルの径方向に沿った長さＷ１７＝５ｍｍであり、第１の広幅中空領域６２２のフィルタケーブルの径方向に沿った長さＷ１８＝５ｍｍである。本実施例の構造によれば、フィルタケーブルを図１６に示される等価回路と等価にすることができる。図１６中の回路は、第１０のインダクタンスＬ１０、第１１のインダクタンスＬ１１、第１２のインダクタンスＬ１２、第１３のインダクタンスＬ１３、第１４のインダクタンスＬ１４、第１５のインダクタンスＬ１５、第１２の容量Ｃ１２、第１３の容量Ｃ１３、第１４の容量Ｃ１４、第１５の容量Ｃ１５、第１６の容量Ｃ１６、第１７の容量Ｃ１７、第１８の容量Ｃ１８を含む。その中で、第１０のインダクタンスＬ１０の第１の端がそれぞれ第１のノードＰ１、第１２の容量Ｃ１２の第１の端に接続され、第２の端がそれぞれ１３第１３の容量Ｃ１３の第１の端、第１１のインダクタンスＬ１１の第１の端、第１４の容量Ｃ１４の第１の端に接続され、第１１のインダクタンスＬ１１の第２の端がそれぞれ第１４の容量Ｃ１４の第２の端、第１２のインダクタンスＬ１２の第１の端に接続され、第１２のインダクタンスＬ１２の第２の端がそれぞれ第１３のインダクタンスＬ１３の第１の端、第１５の容量Ｃ１５の第１の端に接続され、第１３のインダクタンスＬ１３の第２の端がそれぞれ第１４のインダクタンスＬ１４の第１の端、第１６の容量Ｃ１６の第１の端に接続され、第１４のインダクタンスＬ１４の第２の端がそれぞれ第１６の容量Ｃ１６の第２の端、第１５のインダクタンスＬ１５の第１の端、第１７の容量Ｃ１７の第１の端に接続され、第１５のインダクタンスＬ１５の第２の端がそれぞれ第２のノードＰ２、第１８の容量Ｃ１８の第１の端に接続され、第１２の容量Ｃ１２の第２の端、第１３の容量Ｃ１３の第２の端、第１５の容量Ｃ１５の第２の端、第１７の容量Ｃ１７の第２の端、第１８の容量Ｃ１８の第２の端がそれぞれ接地される。この構造に基づき実現される濾過性能としては、ＤＣから３．５ＧＨｚまでの挿入損失が２ｄＢ未満であり、４．３〜５．８ＧＨｚまでの除去率が２０ｄＢを超える。
【００６６】
構造４：
Ｎの値は１で、前記プリフィルタ回路はローパスフィルタ回路を含み、前記エッチングパターンは複数の第６のパターンを含む場合、図１７に示すように、前記第６のパターンは、順次配置された第１のＵ字形の中空パターン６２５、第２のＵ字形の中空パターン６２６および第３のＵ字形の中空パターン６２７を含み、前記第１のＵ字形の中空パターン６２５、前記第２のＵ字形の中空パターン６２６および前記第３のＵ字形の中空パターン６２７は前記フィルタケーブルの径方向に沿って開口され、その中で、前記第２のＵ字形の中空パターン６２６の開口方向は、前記第１のＵ字形の中空パターン６２５、前記第３のＵ字形の中空パターン６２７の開口方向とは反対であり、前記第２のＵ字形の中空パターン６２６の一端が前記第１のＵ字形の中空パターン６２５の一端に接続され、他端が前記第３のＵ字形の中空パターン６２７の一端に接続される。前記第１のＵ字形の中空パターン６２５、前記第２のＵ字形の中空パターン６２６および前記第３のＵ字形の中空パターン６２７のサイズは一致してもよい。
【００６７】
第６のパターン全体がＷ字形に類似し、本実施例はＷ字形の欠陥導体層に基づくローパスフィルタケーブルを提供する。図１７から分かるように、Ｗ字形の欠陥導体層に基づくローパスフィルタケーブルは、Ｗのような構造によってローパス濾過機能を実現し、３つの伝送ゼロ点、シャープなロールオフ、および広い停止帯域特性を実現できる。図１７に示される構造の具体なパラメータは、第６のパターンのフィルタケーブルの軸方向に沿った長さＤ１２＝５ｍｍであり、Ｕ字形の中空パターンの一端のケーブルの軸方向に沿った長さＤ１３＝Ｕ字形の中空パターンの他端のケーブルの軸方向に沿った長さＤ１４＝０．２ｍｍであり、Ｕ字形の中空パターンの両端間の距離Ｄ１５＝１．４ｍｍであり、Ｕ字形の中空パターンのフィルタケーブルの径方向に沿った長さＷ１９＝１３．６４ｍｍであり、Ｕ字形の中空パターンの一端のフィルタケーブルの径方向に沿った長さＷ２１、他端のフィルタケーブルの径方向に沿った長さＷ２０＝７．７６ｍｍである。本実施例の構造によれば、フィルタケーブルを図１８に示される等価回路と等価にすることができる。図１８の等価回路は、第１６のインダクタンスＬ１６、第１７のインダクタンスＬ１７、第１８のインダクタンスＬ１８、第１９のインダクタンスＬ１９、第１９の容量Ｃ１９、第２０の容量Ｃ２０、第２１の容量Ｃ２１、第２２の容量Ｃ２２、第２３の容量Ｃ２３、第２４の容量Ｃ２４、第２５の容量Ｃ２５、第２６の容量Ｃ２６、第２７の容量Ｃ２７、第２８の容量Ｃ２８を含む。その中で、第１６のインダクタンスＬ１６の第１の端がそれぞれ第１のノードＰ１、第１９の容量Ｃ１９の第１の端に接続され、第２の端がそれぞれ第２のノードＰ２、第２２の容量Ｃ２２の第１の端に接続され、第１９の容量Ｃ１９の第２の端がそれぞれ第２０の容量Ｃ２０の第１の端、第２３の容量Ｃ２３の第１の端に接続され、第２０の容量Ｃ２０の第２の端がそれぞれ第２１の容量Ｃ２１の第１の端、第２４の容量Ｃ２４の第１の端に接続され、第２１の容量Ｃ２１の第２の端がそれぞれ第２２の容量Ｃ２２の第２の端、第２５の容量Ｃ２５の第１の端に接続され、第２３の容量Ｃ２３の第２の端がそれぞれ第２６の容量Ｃ２６の第１の端、第１７のインダクタンスＬ１７の第１の端に接続され、第２４の容量Ｃ２４の第２の端がそれぞれ第２７の容量Ｃ２７の第１の端、第１８のインダクタンスＬ１８の第１の端に接続され、第２５の容量Ｃ２５の第２の端がそれぞれ第２８の容量Ｃ２８の第１の端、第１９のインダクタンスＬ１９の第１の端に接続され、第２６の容量Ｃ２６の第２の端、第１７のインダクタンスＬ１７の第２の端、第２７の容量Ｃ２７の第２の端、第１８のインダクタンスＬ１８の第２の端が、第２８の容量Ｃ２８の第２の端、第１９のインダクタンスＬ１９の第２の端がそれぞれ接地される。上記構造に基づき実現される濾過性能は、遷移帯域１４が３．１１ＧＨｚ（カットオフ周波数）から３．２３ＧＨｚまで、挿入損失の変化が−３．０２ｄＢから〜２２．５ｄＢまで、停止帯域の挿入損失が２５ｄＢであり、停止帯域バンドが最大３．４ＧＨｚ（カットオフ周波数）まで拡張できる。
【００６８】
構造５：
Ｎの値は１で、前記プリフィルタ回路はローパスフィルタ回路を含み、前記エッチングパターンは複数の第７のパターンを含む場合、図１９に示すように、前記第７のパターンは、前記フィルタケーブルの径方向に沿った第１１の中空線セグメント６２８を含み、前記第１１の中空線セグメント６２８の両端にそれぞれ第３の広幅中空領域６２９が設けられる。その中で、第３の広幅中空領域６２９のフィルタケーブルの軸方向に沿った長さは、第１１の中空線セグメント６２８の他の領域のフィルタケーブルの軸方向に沿った長さより長く、ダンベルのようになる。
【００６９】
本実施例は、ダンベル型欠陥導体層に基づくローパスフィルタケーブルを提供する。図１９から分かるように、本実施例では、ダンベル型欠陥導体層に基づくローパスフィルタケーブルは、ダンベル型（またはＩ型）のような構造によってローパス濾過機能を実現し、シャープなロールオフおよび広い停止帯域特性を実現できる。図１９に示される構造の具体的なパラメータは、第３の広幅中空領域６２９のフィルタケーブルの軸方向に沿った長さＤ１６＝２．５ｍｍであり、第１１の中空線セグメント６２８のフィルタケーブルの軸方向に沿った長さＤ１７＝０．５ｍｍであり、第３の広幅中空領域６２９のフィルタケーブルの径方向に沿った長さＷ２２＝２．６ｍｍであり、第１１の中空線セグメント６２８のフィルタケーブルの径方向に沿った長さＷ２３＝２．０ｍｍである。本実施例の構造によれば、フィルタケーブルを図２０に示される等価回路と等価にすることができる。図２０の等価回路は、第２０のインダクタンスＬ２０、第２９の容量Ｃ２９を含む。その中で、第２０のインダクタンスＬ２０の第１の端がそれぞれ第１のノードＰ１、第２９の容量Ｃ２９の第１の端に接続され、第２の端がそれぞれ第２のノードＰ２、第２９の容量Ｃ２９の第２の端に接続される。この構造に基づく濾過性能は、遷移帯域がＤＣから４ＧＨｚまでの通過帯域であり、挿入損失が０．２ｄＢ未満であり、停止帯域が４．３ＧＨｚから１６．２ＧＨｚまでである。
【００７０】
構造６：
Ｎの値は１で、前記プリフィルタ回路はバンドストップフィルタ回路を含み、前記エッチングパターンは複数の第８のパターンを含む場合、図２１に示すように、前記第８のパターンは、前記フィルタケーブルの径方向に沿った第１２の中空線セグメント６３０を含み、前記第１２の中空線セグメント６３０の両端にそれぞれ第３の単一リング状中空パターン６３１が設けられ、前記第３の単一リング状中空パターン６３１の前記第１２の中空線セグメント６３０に近い側に非中空領域６３２がある。その中で、第３の単一リング状中空パターン６３１は円環状中空パターンであり得るが、これに限定されない。
【００７１】
本実施例は、ダブルリングブリッジ接続型欠陥導体層に基づくバンドストップフィルタケーブルを提供する。図から分かるように、ダブルリングブリッジ接続型欠陥導体層に基づくバンドストップフィルタケーブルは、エッチングされた２つの円環状溝、狭いエッチング隙間ブリッジ接続構造によりバンドストップ濾過機能を実現する。本実施例の構造の具体的なパラメータは、第１２の中空線セグメント６３０のフィルタケーブルの軸方向に沿った長さＷ２４＝第３の単一リング状中空パターン６３１の環状線幅Ｗ２５＝０．４ｍｍであり、第３の単一リング状中空パターン６３１の非中空領域の長さＳ１＝０．２ｍｍであり、第３の単一リング状中空パターン６３１の外輪半径Ｒ＝４ｍｍであり、第１２の中空線セグメント６３０のフィルタケーブルの径方向に沿った長さＤ１８＝２ｍｍである。本実施例の構造によれば、フィルタケーブルを図２２に示される等価回路と等価にすることができる。図２２の回路は、第２１のインダクタンスＬ２１、第２２のインダクタンスＬ２２、第３の抵抗Ｒ３、第３０の容量Ｃ３０、第３１の容量Ｃ３１、第３２の容量Ｃ３２を含む。その中で、第２１のインダクタンスＬ２１の第１の端がそれぞれ第１のノードＰ１、第３０の容量Ｃ３０の第１の端に接続され、第２の端がそれぞれ第３の抵抗Ｒ３の第１の端、第２２のインダクタンスＬ２２の第１の端、第３１の容量Ｃ３１の第１の端に接続され、第３の抵抗Ｒ３の第２の端がそれぞれ第２のノードＰ２、第２２のインダクタンスＬ２２の第２の端、第３１の容量Ｃ３１の第２の端、第３２の容量Ｃ３２の第１の端に接続され、第３０の容量Ｃ３０の第２の端、第３２の容量Ｃ３２の第２の端がそれぞれ接地される。この構造に基づく濾過性能は、単一の共振ユニットの場合、１．５ＧＨｚ〜１．６ＧＨｚの停止帯域を得て挿入損失が２０ｄＢを超え、カスケードにより、停止帯域挿入損失がより大きくなる。ＤＣ〜１．４ＧＨｚ、１．７ＧＨｚ〜４ＧＨｚで、通過帯域内の挿入損失が小さく、１ｄＢ未満である。
【００７２】
構造７：
Ｎの値は１で、前記プリフィルタ回路はバンドストップフィルタ回路を含み、前記エッチングパターンは複数の第９のパターンを含む場合、図２３に示すように、前記第９のパターンは、前記フィルタケーブルの径方向に沿って配置された第１３の中空線セグメント６３３を含み、第１３の中空線セグメント６３３の一端に第３の螺旋状中空パターン６３４が設けられ、他端に第４の螺旋状中空パターン６３５が設けられ、前記第３の螺旋状中空パターン６３４と前記第４の螺旋状中空パターン６３５が非対称である。
【００７３】
本実施例は、非対称ブリッジ接続螺旋型欠陥導体層に基づくデュアルバンドストップフィルタケーブルを提供する。図２３に示すように、非対称ブリッジ接続螺旋型欠陥導体層に基づくバンドストップフィルタケーブルは、エッチングされた２つの非対称螺旋状隙間、狭いエッチング隙間ブリッジ接続構造によりデュアルバンドストップ濾過機能を実現する。図２３に示される構造の具体的なパラメータは、第１３の中空線セグメント６３３のフィルタケーブルの軸方向に沿った長さＷ２６＝０．２ｍｍであり、第３の螺旋状中空パターンのピッチ、第４の螺旋状中空パターンのピッチはそれぞれＳ２＝０．２ｍｍであり、第１３の中空線セグメント６３３のフィルタケーブルの径方向に沿った長さＤ１９＝２．４ｍｍであり、第３の螺旋状中空パターン６３４のフィルタケーブルの軸方向に沿った長さＤ２０＝３．２ｍｍであり、第３の螺旋状中空パターン６３４のフィルタケーブルの径方向に沿った長さＤ２１＝３．０ｍｍであり、第４の螺旋状中空パターン６３５のフィルタケーブルの径方向に沿った長さＤ２２＝２．４ｍｍであり、第４の螺旋状中空パターン６３５のフィルタケーブルの軸方向に沿った長さＤ２３＝２．６ｍｍである。本実施例の構造によれば、フィルタケーブルを図２４に示される等価回路と等価にすることができる。図２４の等価回路は、第４の抵抗Ｒ４、第５の抵抗Ｒ５、第２３のインダクタンスＬ２３、第２４のインダクタンスＬ２４、第３３の容量Ｃ３３、第３４の容量Ｃ３４を含む。その中で、第４の抵抗Ｒ４の第１の端がそれぞれ第１のノードＰ１、第２３のインダクタンスＬ２３の第１の端、第３３の容量Ｃ３３の第１の端に接続され、第２の端がそれぞれ第２３のインダクタンスＬ２３の第２の端、第３３の容量Ｃ３３の第２の端、第５の抵抗Ｒ５の第１の端、第２４のインダクタンスＬ２４の第１の端、第３４の容量Ｃ３４の第１の端に接続され、第５の抵抗Ｒ５の第２の端がそれぞれ第２４のインダクタンスＬ２４の第２の端、第３４の容量Ｃ３４の第２の端、第２のノードＰ２に接続される。この構造に基づく濾過性能は、単一の共振ユニットの場合、３．０ＧＨｚおよび４．５ＧＨｚの２つの停止帯域が得られ、停止帯域の挿入損失が２０ｄＢを超え、カスケードにより、停止帯域の挿入損失がより大きくなる。ＤＣ〜２．７ＧＨｚ、３．２ＧＨｚ〜４．３ＧＨｚ、４．７ＧＨｚ〜６ＧＨｚの通過帯域内の挿入損失が小さく、１ｄＢ未満である。
【００７４】
構造８：
Ｎの値は１で、前記プリフィルタ回路はバンドストップフィルタ回路を含み、前記エッチングパターンは複数の第１０のパターンを含む場合、図２５に示すように、前記第１０のパターンは、前記フィルタケーブルの軸方向に沿って並んで配置された第１４の中空線セグメント６３６、第１５の中空線セグメント６３７、および前記第１４の中空線セグメント６３６、第１５の中空線セグメント６３７間に、前記フィルタケーブルの径方向に沿って配置された第１６の中空線セグメント６３８を含み、前記第１４の中空線セグメント６３６の中部が前記第１６の中空線セグメント６３８を介して第１５の中空線セグメント６３７の中部に接続され、前記第１４の中空線セグメント６３６、第１５の中空線セグメント６３７間、前記第１６の中空線セグメント６３８の両側にそれぞれ第３の単一リング状中空パターン６３９が設けられ、前記第３の単一リング状中空パターン６３９の前記第１６の中空線セグメント６３８に近い辺の中部に非中空領域がある。
【００７５】
第１０のパターンは、対称Ｈと２つのＣの組み合わせに類似し、本実施例は、対称ＨとＣ型欠陥導体層に基づくバンドストップフィルタケーブルを提供する。図２５に示すように、対称ＨとＣ型欠陥導体層に基づくバンドストップフィルタケーブルは、Ｈ字形の隙間を介して２つの対向するＣ字形の隙間にしっかりと配置され、互い結合された共振器を構成してバンドストップ濾過機能を実現し、差動信号に影響を与えることなくコモンモードノイズを大幅に低減できる。図２５に示される構造の具体的なパラメータは、第１４の中空線セグメント６３６、第１５の中空線セグメント６３７のフィルタケーブルの軸方向に沿った長さがそれぞれＤ２４＝６．３７５ｍｍであり、第３の単一リング状中空パターン６３９のフィルタケーブルの軸方向に沿った長さＤ２５＝２．５５ｍｍであり、第３の単一リング状中空パターン６３９の第１６の中空線セグメント６３８に近い側のフィルタケーブルの軸方向に沿った長さＤ２６＝１．２７５ｍｍであり、第１０のパターンのフィルタケーブルの径方向に沿った長さＷ２７＝６．３７５ｍｍであり、第３の単一リング状中空パターン６３９のフィルタケーブルの径方向に沿った外輪の長さＷ２８＝４．７６ｍｍであり、第３の単一リング状中空パターン６３９のフィルタケーブルの径方向に沿った内輪の長さＷ２９＝３．４ｍｍであり、第３の単一リング状中空パターン６３９の非中空領域と第１４の中空線セグメント６３６の第３の単一リング状中空パターン６３９に近い側の非中空領域間の距離Ｗ３０＝２．０４ｍｍであり、第１６の中空線セグメント６３８のフィルタケーブルの軸方向に沿った長さＳ３＝０．２５５ｍｍであり、第３の単一リング状中空パターン６３９の第１６の中空線セグメント６３８から離れた側のフィルタケーブルの軸方向に沿った長さＳ４＝０．３ｍｍであり、第１４の中空線セグメント６３６、第１５の中空線セグメントのフィルタケーブルの径方向に沿った長さＳ５＝０．２ｍｍである。この構造に基づく濾過性能は、単一の共振ユニットの場合、停止帯域の中心周波数が８．４ＧＨｚで、カットオフ周波数が６．２ＧＨｚで、停止帯域の帯域幅が７３．８％である。停止帯域内のコモンモード挿入損失が１５ｄＢ以上、差動モード挿入損失が３ｄＢ以下である。
【００７６】
構造９：
Ｎの値は１で、前記プリフィルタ回路はバンドストップフィルタ回路を含み、前記エッチングパターンは複数の第１１のパターンを含む場合、図２６に示すように、前記第１１のパターンは、長方形の第４の単一リング状中空パターン６４０を含み、前記第４の単一リング状中空パターン６４１の対の辺が前記フィルタケーブルの径方向に沿って配置され、もう一対の辺が前記フィルタケーブルの軸方向に沿って配置され、前記第４の単一リング状中空パターンの外側に、前記フィルタケーブルの軸方向に沿って配置された一対の辺の両端、中部にもそれぞれ第１７の中空線セグメント６４１が設けられ、前記第１７の中空線セグメント６４１の一端が前記第４の単一リング状中空パターン６４０に接続され、２つの前記第１７の中空線セグメント６４１間に２つの対称のＬ字形の中空パターン６４２が設けられ、前記Ｌ字形の中空パターン６４２のコーナーが前記第４の単一リング状中空パターン６４０に近接し、一辺が前記第１７の中空線セグメント６４１の近くに、前記フィルタケーブルの径方向に沿って配置され、前記フィルタケーブルの軸方向に沿って設けられた中空線セグメントを介して近くの前記第１７の中空線セグメント６４１に接続され、他辺が前記第４の単一リング状中空パターン６４０の近くに前記フィルタケーブルの軸方向に沿って設けられ、前記コアワイヤの前記第４の単一リング状中空パターン６４０に対応する領域に、前記フィルタケーブルの径方向に沿った貫通穴６４３が設けられる。
【００７７】
本実施例は、対称のＬ字形の欠陥導体層に基づくバンドストップフィルタケーブルを提供する。図２６に示すように、対称のＬ字形の欠陥導体層に基づくバンドストップフィルタケーブルは、中心線に対称的に分布された４対のＬ字形の隙間によって互い結合された共振器を構成し、バンドストップ濾過機能を実現する。より良好なバンドストップ応答を得るために、ケーブルコアワイヤを使用し電磁結合によりバンドストップ特性を実現するが、その結合が非常に弱い。したがって、ケーブルコアワイヤと欠陥導体層間の結合を強化するために、周期的な金属貫通穴を導入して接続を改善し、コアワイヤと欠陥導体層間の結合が改善され、それによって良好なバンドストップフィルタケーブルを形成する。図２６に示される構造の具体的なパラメータは、２つのＬ字形の中空パターン６４２の前記第１７の中空線セグメント６４１に近い辺間の距離Ｄ２７＝６．４ｍｍであり、Ｌ字形の中空パターン６４２の第４の単一リング状中空パターン６４０に近い辺のフィルタケーブルの軸方向に沿った長さＤ２８＝２．９ｍｍであり、Ｌ字形の中空パターン６４２と第１７の中空線セグメント６４１を接続する中空線セグメントのフィルタケーブルの軸方向に沿った長さＤ２９＝０．９ｍｍであり、第１１のパターンのフィルタケーブルの軸方向に沿った長さＤ３０＝１５．８ｍｍであり、２つの貫通穴の中心距離Ｄ３１＝１．０ｍｍであり、第１７の中空線セグメントの長さＷ３１＝３．７ｍｍであり、Ｌ字形の中空パターン６４２の前記第１７の中空線セグメント６４１に近い辺のフィルタケーブルの径方向に沿った長さＷ３２＝２．６ｍｍであり、Ｌ字形の中空パターン６４２の第４の単一リング状中空パターン６４０に近い辺のフィルタケーブルの径方向に沿った長さＷ３３＝０．２ｍｍであり、貫通穴の直径ｄ＝０．５ｍｍである。この構造に基づく濾過性能は、単一の共振ユニットの場合、４．６４ＧＨｚ時挿入損失が５７．１ｄＢであり、５．４８ＧＨｚ時挿入損失が４２．６ｄＢであり、６．１６ＧＨｚ時挿入損失が３６．８ｄＢである。ローパスバンドでは、０．２〜３．３５ＧＨｚの最大挿入損失は０．５ｄｂであり、ハイパスバンドでは、６．８９〜７．９８ＧＨｚの最大挿入損失は２．０ｄｂであり、８．１２〜１０．８ＧＨｚの最大挿入損失は１．０ｄｂである。また、停止帯域では、４．５６〜６．２９ＧＨｚの減衰が２８．５ｄＢを超える。リターンロス（Ｒｅｒｕｒｎ  Ｌｏｓｓ、ＲＬ）の場合、ローパスバンドでは、３つの反射ポールがあり、１つのＤＣ付近の動作点、３．２２ＧＨｚ、３．８４ＧＨｚが含まれ、０．２〜４．０１ＧＨｚ間にＲＬが１３ｄＢよりも優れている。上部の通過帯域では、６．９１、８．５５、１０．６１ＧＨｚの３つの反射ポールがあり、６．７５〜１１．３６ＧＨｚ範囲内でＲＬが７．５ｄＢよりも優れている。
【００７８】
構造１０：
Ｎの値は１で、前記プリフィルタ回路はバンドパスフィルタ回路を含み、前記エッチングパターンは複数の第１２のパターンを含む場合、図２７に示すように、前記第１２のパターンは、互い間隔を空けて配置された第１のサブパターン６４４および第２のサブパターン６４５を含み、前記第１２のパターンの第１のサブパターン６４４は、順次配置された第４のＵ字形の中空パターン６４６、第５のＵ字形の中空パターン６４７および第６のＵ字形の中空パターン６４８を含み、前記第４のＵ字形の中空パターン、前記第５のＵ字形の中空パターンおよび前記第６のＵ字形の中空パターンは前記フィルタケーブルの径方向に沿って開口され、その中で、前記第５のＵ字形の中空パターンの開口方向は前記第４のＵ字形の中空パターン、前記第６のＵ字形の中空パターンの開口方向とは反対であり、前記第５のＵ字形の中空パターンの一端が前記第４のＵ字形の中空パターンの一端に接続され、他端が前記第６のＵ字形の中空パターンの一端に接続され、前記第１２のパターンの第２のサブパターン６４５は、前記第１２のパターンの第１のサブパターン６４４を前記フィルタケーブルの径方向に沿って１８０度回転させて得られたパターンであり、前記コアワイヤ１の前記第１２のパターンの第１のサブパターン６４３、第２のサブパターン６４４間の間隔に対応する領域には第１のカットオフ領域６４９があり、前記第１のカットオフ領域６４８に第１の誘電体（図示せず）が充填され、前記第１２のパターンの第１のサブパターン６４４および第２のサブパターン６４５の前記コアワイヤ１に対応する境界上に非中空領域があり、前記第１のカットオフ領域６４９の両側の前記コアワイヤ１が前記欠陥導体層に接続される。
【００７９】
図２７から分かるように、本実施例は、インターデジタル欠陥導体層に基づくバンドパスフィルタケーブルを提供する。図２７に示すように、インターデジタル欠陥導体層に基づくバンドパスフィルタケーブルは、その構造が主に４つの部分、つまり、コアワイヤ（カットオフあり）、媒体充填層(すなわち上記第１の誘電体)、コアワイヤと欠陥導体層の接続チャンネル（図のドットで示される）、および欠陥導体層上のインターデジタル欠陥構造を含むが、多層構造であってもよい。図２７に示される構造の具体的なパラメータは、第４のＵ字形の中空パターン６４６および第６のＵ字形の中空パターン６４８の第５のＵ字形の中空パターン６４７と接続されていない端のフィルタケーブルの軸方向に沿った長さＤ３２＝４ｍｍであり、第５のＵ字形の中空パターン６４７の底部のフィルタケーブルの軸方向に沿った長さＤ３３＝４ｍｍであり、第４のＵ字形の中空パターン６４６および第６のＵ字形の中空パターン６４８の第５のＵ字形の中空パターン６４７と接続されていない端のコアワイヤ１に対応する非中空領域のフィルタケーブルの軸方向に沿った長さＤ３４＝２ｍｍであり、第４のＵ字形の中空パターン６４６、第５のＵ字形の中空パターン６４７および第６のＵ字形の中空パターン６４８の両端間の距離Ｄ３５＝２ｍｍであり、第４のＵ字形の中空パターン６４６および第６のＵ字形の中空パターン６４８の底部のフィルタケーブルの軸方向に沿った長さＤ３６＝７ｍｍであり、第１のカットオフ領域のフィルタケーブルの軸方向に沿った長さＤ３７＝１ｍｍであり、第１のサブパターン６４４および第２のサブパターン６４５間の距離Ｄ３８＝２．４であり、コアワイヤの直径Ｗ３４＝２ｍｍであり、第４のＵ字形の中空パターン６４６および第６のＵ字形の中空パターン６４８のＵ字形開口の深さＷ３５＝７．６ｍｍであり、第５のＵ字形の中空パターン６４７のＵ字形開口の深さＷ３６＝８．７ｍｍであり、第４のＵ字形の中空パターン６４６および第６のＵ字形の中空パターン６４８の底部のコアワイヤに対応する非中空領域の距離Ｗ３７＝２．２ｍｍであり、コアワイヤに対応する非中空領域のフィルタケーブルの径方向に沿った長さＷ３８＝５ｍｍであり、第４のＵ字形の中空パターン６４６および第６のＵ字形の中空パターン６４８の端部のコアワイヤに対応する非中空領域の距離Ｗ３９＝５ｍｍである。本実施例の構造によれば、フィルタケーブルを図２８に示される等価回路と等価にすることができる。図２８の回路は、第３５の容量Ｃ３５、第３６の容量Ｃ３６、第３７の容量Ｃ３７、第３８の容量Ｃ３８、第３９の容量Ｃ３９、第４０の容量Ｃ４０、第４１の容量Ｃ４１、第２５のインダクタンスＬ２５、第２６のインダクタンスＬ２６、第２７のインダクタンスＬ２７、第２８のインダクタンスＬ２８、第２９のインダクタンスＬ２９、第３０のインダクタンスＬ３０を含む。その中で、第３５の容量Ｃ３５がそれぞれ第１のノードＰ１、第３８の容量Ｃ３８の第１の端、第２５のインダクタンスＬ２５の第１の端に接続され、第２の端がそれぞれ第３６の容量Ｃ３６の第１の端、第３９の容量Ｃ３９の第１の端、第２７のインダクタンスＬ２７の第１の端に接続され、第３９の容量Ｃ３９���第２の端が第２６のインダクタンスＬ２６の第１の端に接続され、第３６の容量Ｃ３６の第２の端がそれぞれ第２８のインダクタンスＬ２８の第１の端、第３７の容量Ｃ３７の第１の端、第４０の容量Ｃ４０の第１の端に接続され、第４０の容量Ｃ４０の第２の端が第２９のインダクタンスＬ２９の第１の端に接続され、第３７の容量Ｃ３７の第２の端がそれぞれ第２のノードＰ２、第３０のインダクタンスＬ３０の第１の端、第４１の容量Ｃ４１の第１の端に接続され、第３８の容量Ｃ３８の第２の端、第２５のインダクタンスＬ２５の第２の端、第２６のインダクタンスＬ２６の第２の端、第２７のインダクタンスＬ２７の第２の端、第２８のインダクタンスＬ２８の第２の端、第２９のインダクタンスＬ２９の第２の端、第３０のインダクタンスＬ３０の第２の端、第４１の容量Ｃ４１の第２の端がそれぞれ接地される。この構造に基づく濾過性能は、単一の共振ユニットの場合、中心周波数が２．５ＧＨｚで、帯域幅が１４．８％であるバンドパス濾過性能を有し、高い選択性と広い上限停止帯域を有する利点がある。高い選択性と広い停止帯域を必要とする多くの通信アプリケーションにとって、それは潜在的なバンドパスアプリケーションである可能性がある。
【００８０】
構造１１：
Ｎの値は１で、前記プリフィルタ回路はバンドパスフィルタ回路を含み、前記エッチングパターンは複数の第１３のパターンを含む場合、図２９に示すように、前記第１３のパターンは土字形の中空パターンを含み、前記土字形の中空パターンの第１の垂直辺が前記フィルタケーブルの径方向に沿って配置され、第１の水平辺６５０および第２の水平辺６５１がそれぞれ前記フィルタケーブルの軸方向に沿って配置され、前記第１の水平辺６５０の長さが前記第２の水平辺６５の長さより小さく、前記第２の水平辺６５１の一端に第５の螺旋状中空パターン６５２が設けられ、他端に前記第５の螺旋状中空パターン６５２と完全に対称の第６の螺旋状中空パターン６５４が設けられ、前記第１の水平辺６５０の一端に第７の螺旋状中空パターン６５３が設けられ、前記第７の螺旋状中空パターン６５３が前記第５の螺旋状中空パターン６５２の非中空領域内に位置し、他端に前記第７の螺旋状中空パターン６５３と完全に対称の第８の螺旋状中空パターン６５５が設けられ、前記第８の螺旋状中空パターン６５５が前記第６の螺旋状中空パターン６５４の非中空領域内に位置し、前記コアワイヤ１の前記土字形の中空パターンの垂直辺に対応する領域には第２のカットオフ領域６５６があり、前記第２のカットオフ領域６５６に第２の誘電体(図示せず)が充填される。
【００８１】
本実施例は、ジグザグラインマルチモード共振ユニットの欠陥導体層に基づくバンドパスフィルタケーブルを提供する。図２９に示すように、ジグザグラインマルチモード共振ユニットの欠陥導体層に基づくバンドパスフィルタケーブルは、その構造が主に３つの部分、つまり、コアワイヤ（カットオフあり）、媒体充填層（即ち上記第２の誘電体）および欠陥導体層(構造には複数のジグザグラインマルチモード共振ユニットが含まれると見なされる)で構成される。図２９に示される構造の具体的なパラメータは、第１の水平辺のフィルタケーブルの軸方向に沿った長さＤ３９＝７ｍｍであり、第１３のパターンのフィルタケーブルの径方向に沿った長さＤ４０＝６．２ｍｍであり、第５の螺旋状中空パターン６５２、第６の螺旋状中空パターン６５４のフィルタケーブルの軸方向に沿った長さＤ４１＝３．３ｍｍであり、土字形の中空パターンの第２の水平辺、第１の水平辺、第１の垂直辺で囲まれた非中空領域のフィルタケーブルの軸方向に沿った長さＤ４２＝３ｍｍであり、前記第２のカットオフ領域６５６のフィルタケーブルの軸方向に沿った長さＤ４３＝１ｍｍであり、第５の螺旋状中空パターンおよび第６の螺旋状中空パターンの端部以外の中空線幅Ｗ４０＝０．３ｍｍであり、フィルタケーブルの軸方向に沿って第５の螺旋状中空パターン中の中空線セグメントと第７の螺旋状中空パターン中の中空線セグメント間の距離、および第６の螺旋状中空パターン中の中空線セグメントと第８の螺旋状中空パターン中の中空線セグメント間の距離Ｗ４１＝０．３ｍｍであり、第１の水平辺と第２の水平辺間の距離Ｗ４２＝０．６ｍｍであり、第７の螺旋状中空パターンおよび第８の螺旋状中空パターン中の中空線幅Ｗ４３＝０．３ｍｍであり、第５の螺旋状中空パターンおよび第６の螺旋状中空パターン中端部の中空線幅Ｗ４４＝０．３ｍｍである。この構造に基づく濾過性能は、単一の共振ユニットの場合、２つの通過帯域と４つの伝送ゼロ点を同時に生成でき、典型的には、２．４５ＧＨｚと５．８ＧＨｚ（ＷＬＡＮ応用）で動作するデュアルバンドパスフィルタは、帯域幅がそれぞれ１２．８％と１４．７％であり、最小挿入損失が１．１ｄＢと１．０ｄＢであり、生成された４つの伝送ゼロ点が選択性を向上させることができる。
【００８２】
構造１２：
Ｎの値は１で、前記プリフィルタ回路はバンドパスフィルタ回路を含み、前記コアワイヤの数が２であり、前記エッチングパターンは複数の第１４のパターンを含む場合、図３０に示すように、前記第１４のパターンは日字形の中空パターンを含み、前記日字形の中空パターンは、前記フィルタケーブルの軸方向に沿って配置された第３の水平辺６５７、第４の水平辺６５８および第５の水平辺６５９、前記フィルタケーブルの径方向に設けられた第２の垂直辺６６０および第３の垂直辺６６１を含み、前記第４の水平辺６５８が前記第３の水平辺６５７と前記第５の水平辺６５９間に位置し、前記第４の水平辺６５８の前記第３の水平辺６５７に近い側の中部に、前記フィルタケーブルの径方向に沿って配置された非中空線セグメント６６２があり、前記第４の水平辺６５８上に長い辺が前記フィルタケーブルの軸方向に沿った第１のＬ字形の非中空領域６６３、第２のＬ字形の非中空領域６６４、第３のＬ字形の非中空領域６６５が設けられ、前記第１のＬ字形の非中空領域６６３の長い辺が前記非中空線セグメント６６２に接続され、短い辺が前記第２のＬ字形の非中空領域６６４の長い辺に接続され、前記第２のＬ字形の非中空領域６６４の短い辺が前記第３のＬ字形の非中空領域６６５の長い辺に接続され、２本の前記コアワイヤ１では、１本の前記コアワイヤ１が前記第３の水平辺６５７と前記第４の水平辺６５８間の非中空領域に位置し第３のカットオフ領域６６６を有し、もう１本の前記コアワイヤ１が前記第４の水平辺６５８と前記第５の水平辺６５９間の非中空領域に位置し、第４のカットオフ領域６６７を有し、前記第３のカットオフ領域に第３の誘電体が充填され、前記第４のカットオフ領域に第４の誘電体が充填される。
【００８３】
第１４のパターンもダンベルのような形であり、本実施例は、ダンベル型の欠陥導体層に基づく差動バンドパスフィルタケーブルを提供する。図３０に示すように、ダンベル型の欠陥導体層に基づく差動バンドパスフィルタケーブルは、その構造がダンベル型搭載の差動伝送線で構成され、中空に囲まれた非中空領域では、２つの容量性の正方形のパッチが薄い金属ストリップを介して互いに接続されてなるようである。このような構造では、差動モード信号の場合共振ユニットが励起され、差動モード信号の伝送中、伝送線電界の垂直成分が反転する。これにより、共振ユニットの上部と下部に電気双極子モーメントが発生し、共振ユニット間の金属ストリップに電流が発生する。しかしながら、コモンモード伝送の場合、伝送線の電界によって上下部の容量性パッチも励起されるため、金属ストリップに双極子モーメントや電流が発生せず、共振ユニットを励起することができない。図３０の構造の具体的なパラメータは、第３の水平辺のフィルタケーブルの軸方向に沿った長さＤ４４＝７．６ｍｍであり、第２のＬ字形の非中空領域６６４の長い辺のフィルタケーブルの軸方向に沿った長さＤ４５＝４．２ｍｍであり、第２の垂直辺、第３の垂直辺のフィルタケーブルの軸方向に沿った長さＤ４６＝０．２ｍｍであり、第３のカットオフ領域、第４のカットオフ領域の長さＤ４７＝０．６ｍｍであり、非中空領域６６２のフィルタケーブルの軸方向に沿った長さＤ４８＝０．４ｍｍであり、第１４のパターンのフィルタケーブルの径方向に沿った長さＷ４５＝１５．４ｍｍであり、２つのコアワイヤ１間の距離Ｗ４６＝５．７ｍｍであり、第４の水平辺のフィルタケーブルの径方向に沿った長さＷ４７＝４．２ｍｍであり、フィルタケーブルの径方向に沿って第１のＬ字形の非中空領域６６３の短い辺と第２のＬ字形の非中空領域６６４の長い辺の長さの合計Ｗ４８＝１．４ｍｍである。本実施例の構造によれば、フィルタケーブルを図３１に示される等価回路と等価にすることができる。図３１の等価回路は、第３１のインダクタンスＬ３１、第３２のインダクタンスＬ３２、第３３のインダクタンスＬ３３、第３４のインダクタンスＬ３４、第３５のインダクタンスＬ３５、第４２の容量Ｃ４２、第４３の容量Ｃ４３、第４４の容量Ｃ４４、第４５の容量Ｃ４５、第４６の容量Ｃ４６、第４７の容量Ｃ４７、第４８の容量Ｃ４８、第４９の容量Ｃ４９を含む。その中で、第３１のインダクタンスＬ３１の第１の端が第１のノードＰ１に接続され、第２の端が第４２の容量Ｃ４２の第１の端に接続され、第４２の容量Ｃ４２の第２の端がそれぞれ第４３の容量Ｃ４３の第１の端、第４４の容量Ｃ４４の第１の端に接続され、第４３の容量Ｃ４３の第２の端が第３２のインダクタンスＬ３２の第１の端に接続され、第３２のインダクタンスＬ３２の第２の端が第２のノードＰ２に接続され、第４４の容量Ｃ４４の第２の端がそれぞれ第４５の容量Ｃ４５の第１の端、第３３のインダクタンスＬ３３の第１の端に接続され、第３３のインダクタンスＬ３３の第２の端がそれぞれ第４６の容量Ｃ４６の第１の端、第４７の容量Ｃ４７の第１の端に接続され、第４７の容量Ｃ４７の第２の端がそれぞれ第４８の容量Ｃ４８、第４９の容量Ｃ４９の第１の端に接続され、第４８の容量Ｃ４８の第２の端が第３４のインダクタンスＬ３４の第１の端に接続され、第４９の容量Ｃ４９の第２の端が第３５のインダクタンスＬ３５の第１の端に接続され、第４５の容量Ｃ４５の第２の端、第４６の容量Ｃ４６の第２の端、第３４のインダクタンスＬ３４の第２の端、第３５のインダクタンスＬ３５の第２の端がそれぞれ接地される。ダンベル型の欠陥導体層に基づく差動バンドパスフィルタケーブルは、高次バンドパス濾過機能を実現し、典型的な３次フィルタケーブルは、中心周波数１．５ＧＨｚで６％の相対帯域幅があり、通過帯域差動モード信号の挿入損失が２．４ｄＢであり、より良好な可撓性基板材料を選択することで改善し、より低い挿入損失を達成する。差動通過帯域内には５７デシベルを超えるコモンモード除去率があり、コモンモード信号の小さな通過帯域は、製造公差による非対称性の原因によって引き起こされ、加工精度を向上させることでコモンモード通過帯域を低減できる。
【００８４】
構造１３：
Ｎの値は１で、前記プリフィルタ回路はバンドパスフィルタ回路を含み、前記エッチングパターンは複数の第１５のパターンを含む場合、図３２に示すように、前記第１５のパターンは、方形波中空パターン６６８を含み、前記方形波中空パターンの両端にそれぞれ前記フィルタケーブルの径方向に沿った第４の広幅中空領域６６９が設けられる。方形波中空パターンが非常に曲がりくねっているように見えるため、本実施例は、ジグザグダンベル構造の欠陥導体層に基づくバンドパスフィルタケーブルを提供する。図３２に示すように、ジグザグダンベル構造の欠陥導体層に基づくバンドパスフィルタケーブルは、その構造はジグザグのダンベル構造、ケーブルコアワイヤおよびコアワイヤと欠陥導体層の接続チャンネル（図のドットで示される）で構成され、図に示されるように、ジグザグダンベル構造に基づく共振ユニットは、２つの正方形の隙間と１つのジグザグ隙間を互い接続することで形成される。ビアホールと欠陥導体層間のブリッジ接続により等価インダクタンスおよび容量成分が負になる。これらの負の成分が寄生的な右側の分岐を除外するため、伝送線には純粋な左側の分岐応答特性しかない。図３２に示すように、ジグザグ形状の交互に配置された線上に半径０．３ｍｍの２つの接続チャンネルがケーブルコアワイヤに接続される。図３２に示される構造の具体的なパラメータは、第１４のパターンのフィルタケーブルの軸方向に沿った長さＤ４９＝５．２ｍｍであり、方形波中空パターン６６８のフィルタケーブルの軸方向に沿った長さＤ５０＝５ｍｍであり、第４の広幅中空領域６６９のフィルタケーブルの径方向に沿った長さＷ４９＝５ｍｍであり、方形波中空パターン６６８の方形波線幅Ｗ５０＝０．１ｍｍであり、方形波中空パターン６６８の方形波間隔Ｗ５１＝０．５ｍｍであり、方形波中空パターン６６８の周期Ｗ５２＝１．１ｍｍである。本実施例の構造によれば、フィルタケーブルを図３２に示される等価回路と等価にすることができる。図３２の等価回路は、第３６のインダクタンスＬ３６、第３７のインダクタンスＬ３７、第３８のインダクタンスＬ３８、第３９のインダクタンスＬ３９、第４０のインダクタンスＬ４０、第４１のインダクタンスＬ４１、第５０の容量Ｃ５０、第５１の容量Ｃ５１、第５２の容量Ｃ５２を含む。その中で、第３６のインダクタンスＬ３６の第１の端が第１のノードＰ１に接続され、第３６のインダクタンスＬ３６の第２の端がそれぞれ第３７のインダクタンスＬ３７の第１の端、第５０の容量Ｃ５０の第１の端、第４１のインダクタンスＬ４１の第１の端、第４０のインダクタンスＬ４０の第１の端、第５１の容量Ｃ５１の第１の端、第５２の容量Ｃ５２の第１の端に接続され、第３７のインダクタンスＬ３７の第２の端がそれぞれ第３８のインダクタンスＬ３８の第１の端、第５０の容量Ｃ５０の第２の端、第５１の容量Ｃ５１の第２の端、第３９のインダクタンスＬ３９の第１の端、第４０のインダクタンスＬ４０の第２の端、第５２の容量Ｃ５２の第２の端に接続され、第３８のインダクタンスＬ３８の第２の端が第２のノードに接続され、第３９のインダクタンスＬ３９の第２の端、第４１のインダクタンスＬ４１の第２の端がそれぞれ接地される。この構造に基づく濾過性能は、フィルタ帯域幅が０．６２４〜３．５１ＧＨｚであるため、相対帯域幅が１４０％であるバンドパスフィルタケーブルを実現する。
【００８５】
ある実施例では、欠陥導体層の典型実施形態として、前記欠陥導体層を巻き線の形で設置した。具体的には、絶縁層の外側に欠陥導体層を巻きつけることで実現され、図３４に示される欠陥導体層に基づくフィルタケーブルは、前記エッチングパターンは複数の第１６のパターンを含む。第１６のパターンは様々な具体的な構造を有する。例えば、前記第１６のパターンは図１２に示されるＰＩ状の中空パターンを参照し、図３５に示すように、ＰＩ状の中空パターンの欠陥導体層は一定の角度で絶縁層の外側に巻きつけられ、フィルタケーブルをローパスフィルタ回路と等価にすることができる。本実施例では、欠陥導体層を巻き線の形でケーブル外側に包み、工業的な大量生産に便利である。
【００８６】
本明細書の説明において、「一実施例」、「いくつかの実施例」、「例示」、「具体的な例」、または「いくつかの例」などの用語に関する説明は、該実施例または例示に関連して記載された具体的な特徴、構造、材料または特性が本願の少なくとも１つの実施例または例示に含まれることを意味する。本明細書において、上記の用語の概略説明は同じ実施例または例示を指すとは限らない。さらに、記載された具体的な特徴、構造、材料または特性は、任意の１つまたは複数の実施例または例示において適切な方法で組み合わせることができる。
【００８７】
本願の実施例を以上のように説明したが、上記の実施例は例示であり、本願を制限するものではなく、当業者は、本願の範囲内で上記の実施例に対して変更、修正、置換、および変化を加えることができるのは言うまでもない。
【図１】
2021532612.tif 000003
【図２】
2021532612.tif 000004
【図３】
2021532612.tif 000005
【図４】
2021532612.tif 000006
【図５】
2021532612.tif 000007
【図６】
2021532612.tif 000008
【図７】
2021532612.tif 000009
【図８】
2021532612.tif 000010
【図９】
2021532612.tif 000011
【図１０】
2021532612.tif 000012
【図１１】
2021532612.tif 000013
【図１２】
2021532612.tif 000014
【図１３】
2021532612.tif 000015
【図１４】
2021532612.tif 000016
【図１５】
2021532612.tif 000017
【図１６】
2021532612.tif 000018
【図１７】
2021532612.tif 000019
【図１８】
2021532612.tif 000020
【図１９】
2021532612.tif 000021
【図２０】
2021532612.tif 000022
【図２１】
2021532612.tif 000023
【図２２】
2021532612.tif 000024
【図２３】
2021532612.tif 000025
【図２４】
2021532612.tif 000026
【図２５】
2021532612.tif 000027
【図２６】
2021532612.tif 000028
【図２７】
2021532612.tif 000029
【図２８】
2021532612.tif 000030
【図２９】
2021532612.tif 000031
【図３０】
2021532612.tif 000032
【図３１】
2021532612.tif 000033
【図３２】
2021532612.tif 000034
【図３３】
2021532612.tif 000035
【図３４】
2021532612.tif 000036
【図３５】
2021532612.tif 000037
【国際調査報告】
2021532612.tif 000038
2021532612.tif 000039
2021532612.tif 000040
2021532612.tif 000041